(57)【要約】【課題】  電力制御を受ける系全体で情報通信量、処理量を抑えながら、電力制御を行うことを可能とする電力制御システムを提供することを目的とする。【解決手段】  上位に貢献量対応情報を送信する電気製品側貢献量対応情報送信部と、電力の割当情報を受信する電気製品側決定受信部とを有する電気製品と、貢献量対応情報を受信する中間制御側貢献量対応情報受信部と、貢献量対応情報を統合する中間制御側貢献量対応情報統合部と、電力の組合せを記憶する中間制御側電力組合せ記憶部と、貢献量対応情報を送信する中間制御側貢献量対応情報送信部と、電力割当を決定する中間制御側決定送受信部と、を有する中間電力制御システムと、貢献量対応情報を受信する最上位制御側貢献量対応情報受信部と、貢献量対応情報を統合する最上位制御側貢献量対応情報統合部と、電力の組合せを記憶する最上位制御側電力組合せ記憶部と、電力割当を決定する最上位制御側決定送信部と、を有する電力制御システムである。【選択図】  図１
2006050862.tif 000002
【特許請求の範囲】
【請求項１】
電気製品とその上位の中間電力制御システムと最上位電力制御システムとからなる系に於いて、前記電気製品に対して電力の割当を行う電力制御システムであって、
前記電気製品は、
該電気製品の上位の前記中間電力制御システム又は最上位電力制御システムに対して前記電気製品の貢献量対応情報を送信する電気製品側貢献量対応情報送信部と、
前記上位の前記中間電力制御システム又は最上位電力制御システムから該電気製品に対する電力の割当の情報を受信する電気製品側決定受信部と、を有しており、
前記中間電力制御システムは、
該中間電力制御システムの下位の前記電気製品又は中間電力制御システムから貢献量対応情報を受信する中間制御側貢献量対応情報受信部と、
前記受信した貢献量対応情報を統合する中間制御側貢献量対応情報統合部と、
該中間電力制御システムの上位の中間電力制御システム又は最上位電力制御システムに対して前記統合した貢献量対応情報を送信する中間制御側貢献量対応情報送信部と、
前記上位の中間電力制御システム又は最上位電力制御システムから電力の割当の情報を受信し、その情報に基づいて前記下位の電気製品又は中間電力制御システムに対する電力の割当を決定し、その決定の情報を前記下位の電気製品又は中間電力制御システムに送信する中間制御側決定送受信部と、を有しており、
前記最上位電力制御システムは、
該最上位電力制御システムの下位の前記電気製品又は中間電力制御システムから貢献量対応情報を受信する最上位制御側貢献量対応情報受信部と、
前記受信した貢献量対応情報を統合する最上位制御側貢献量対応情報統合部と、
前記統合した貢献量対応情報に基づいて前記下位の電気製品又は中間電力制御システムに対する電力の割当を決定し、その決定の情報を下位の電気製品又は中間電力制御システムに送信する最上位制御側決定送信部と、
を有することを特徴とする電力制御システム。
【請求項２】
前記中間電力制御システムは、
前記統合した貢献量対応情報に於ける電力の組合せを記憶する中間制御側電力組合せ記憶部を更に有しており、
前記中間制御側決定送受信部は、
前記上位の中間電力制御システム又は最上位電力制御システムから電力の割当の情報を受信し、その割り当てられた電力となる組合せを前記中間制御側電力組合せ記憶部から抽出し、前記抽出した組合せを前記下位の電気製品又は中間電力制御システムに対する電力の割当として決定し、その決定の情報を前記下位の電気製品又は中間電力制御システムに送信する、
ことを特徴とする請求項１に記載の電力制御システム。
【請求項３】
前記最上位電力制御システムは、
前記統合した貢献量対応情報に於ける電力の組合せを記憶する最上位制御側電力組合せ記憶部を更に有しており、
前記最上位制御側決定送信部は、
前記統合した貢献量対応情報から最も貢献量の大きい場合の電力を選択し、その電力となる組合せを前記最上位制御側電力組合せ記憶部から抽出し、前記抽出した組合せを前記下位の電気製品又は中間電力制御システムに対する電力の割当として決定し、その決定の情報を下位の電気製品又は中間電力制御システムに送信する、
ことを特徴とする請求項１に記載の電力制御システム。
【請求項４】
前記中間制御側貢献量対応情報統合部と前記最上位制御側貢献量対応情報統合部は、前記受信した各貢献量対応情報の電力毎に貢献量を加算することによって前記貢献量対応情報を統合する、
ことを特徴とする請求項１に記載の電力制御システム。
【請求項５】
前記中間制御側決定送受信部と前記最上位制御側決定送信部は、前記電力の割当はスロット毎に決定する、
ことを特徴とする請求項１から請求項３のいずれかに記載の電力制御システム。
【請求項６】
前記貢献量対応情報は、電力と貢献量との対応関係を示した情報である、
ことを特徴とする請求項１から請求項４のいずれかに記載の電力制御システム。
【請求項７】
前記貢献量は、前記電気製品の消費電力と時間との関係に基づいて算出する、
ことを特徴とする請求項６に記載の電力制御システム。
【請求項８】
前記貢献量は、
該電気製品が要求するスロット数と該電気製品に電力を割り当てたスロット数と消費電力とに基づいて算出する、
ことを特徴とする請求項７に記載の電力制御システム。
【請求項９】
前記貢献量は、
該電気製品が要求するスロット数と該電気製品に電力を未割当のスロット数と消費電力とに基づいて算出する、
ことを特徴とする請求項７に記載の電力制御システム。
【請求項１０】
前記貢献量は、
過去の所定時間のうちで電力が割り当てられた時間から算出する、
ことを特徴とする請求項７に記載の電力制御システム。
【請求項１１】
前記貢献量は、
前記電気製品の優先度であって、前記電気製品に電力が割り当てられることにより、該優先度を低くする、
ことを特徴とする請求項７から請求項１０のいずれかに記載の電力制御システム。
【請求項１２】
前記電気製品側貢献量対応情報送信部は、
該電気製品が一つ前のスロットで電力の割当を受けた場合には、該電気製品に電力が割り当てたスロット数を一つ加算して、又は該電気製品に電力を未割当のスロット数を一つ減算して、該電力に対する貢献量を算出し、新たな貢献量対応情報として、上位の中間電力制御システム又は最上位電力制御システムに対して送信する、
ことを特徴とする請求項１から請求項１１のいずれかに記載の電力制御システム。
【請求項１３】
前記最上位制御側決定送信部は、前記最上位制御側貢献量対応情報統合部で統合した貢献量対応情報のうち最も大きい貢献量が複数ある場合には、ランダムに選択された貢献量の場合の電力、最も大きい電力、最も少ない電力のいずれかにより電力を選択し、その電力となる組合せを前記最上位制御側電力組合せ記憶部から抽出する、
ことを特徴とする請求項１又は請求項３に記載の電力制御システム。
【請求項１４】
電気製品とその上位の電力制御システムとからなる系に於ける電気製品であって、
前記電気製品は、
該電気製品の上位の電力制御システムに対して前記電気製品の貢献量対応情報を送信する電気製品側貢献量対応情報送信部と、
該電気製品の上位の前記電力制御システムから該電気製品に対する電力の割当の情報を受信する電気製品側決定受信部と、を有しており、
前記電力の割当に基づいて電力を取得する、
ことを特徴とする電気製品。
【請求項１５】
電気製品とその上位の中間電力制御システムと最上位電力制御システムとからなる系に於いて、前記電気製品に対して電力の割当を行う電力制御システムで用いる中間電力制御システムであって、
前記中間電力制御システムは、
該中間電力制御システムの下位の前記電気製品又は中間電力制御システムから貢献量対応情報を受信する中間制御側貢献量対応情報受信部と、
前記受信した貢献量対応情報を統合する中間制御側貢献量対応情報統合部と、
該中間電力制御システムの上位の中間電力制御システム又は最上位電力制御システムに対して前記統合した貢献量対応情報を送信する中間制御側貢献量対応情報送信部と、
前記上位の中間電力制御システム又は最上位電力制御システムから電力の割当の情報を受信し、その情報に基づいて前記下位の電気製品又は中間電力制御システムに対する電力の割当を決定し、その決定の情報を前記下位の電気製品又は中間電力制御システムに送信する中間制御側決定送受信部と、
を有することを特徴とする中間電力制御システム。
【請求項１６】
前記中間電力制御システムは、
前記統合した貢献量対応情報に於ける電力の組合せを記憶する中間制御側電力組合せ記憶部を更に有しており、
前記中間制御側決定送受信部は、
前記上位の中間電力制御システム又は最上位電力制御システムから電力の割当の情報を受信し、その割り当てられた電力となる組合せを前記中間制御側電力組合せ記憶部から抽出し、前記抽出した組合せを前記下位の電気製品又は中間電力制御システムに対する電力の割当として決定し、その決定の情報を前記下位の電気製品又は中間電力制御システムに送信する、
ことを特徴とする請求項１５に記載の中間電力制御システム。
【請求項１７】
電気製品とその上位の中間電力制御システムと最上位電力制御システムとからなる系に於いて、前記電気製品に対して電力の割当を行う電力制御システムで用いる最上位電力制御システムであって、
前記最上位電力制御システムは、
該最上位電力制御システムの下位の前記電気製品又は中間電力制御システムから貢献量対応情報を受信する最上位制御側貢献量対応情報受信部と、
前記受信した貢献量対応情報を統合する最上位制御側貢献量対応情報統合部と、
前記統合した貢献量対応情報に基づいて前記下位の電気製品又は中間電力制御システムに対する電力の割当を決定し、その決定の情報を下位の電気製品又は中間電力制御システムに送信する最上位制御側決定送信部と、
を有することを特徴とする最上位電力制御システム。
【請求項１８】
前記最上位電力制御システムは、
前記統合した貢献量対応情報に於ける電力の組合せを記憶する最上位制御側電力組合せ記憶部を更に有しており、
前記最上位制御側決定送信部は、
前記統合した貢献量対応情報から最も貢献量の大きい場合の電力を選択し、その電力となる組合せを前記最上位制御側電力組合せ記憶部から抽出し、前記抽出した組合せを前記下位の電気製品又は中間電力制御システムに対する電力の割当として決定し、その決定の情報を下位の電気製品又は中間電力制御システムに送信する、
ことを特徴とする請求項１７に記載の最上位電力制御システム。
【発明の詳細な説明】
【技術分野】
【０００１】
本発明は電力制御システムに関する。詳細には、電力制御を受ける系全体で情報通信量、処理量を抑えながら、系全体に於ける電力制御を行うことを可能とする電力制御システムに関する。
【背景技術】
【０００２】
下記特許文献に開示の発明のように、供給される電力を効率的或いはブレーカーが落ちないようにするシステムが存在する。
【０００３】
このようなシステムの場合、例えば図１に示す構造の場合、総ての電気製品が使用する電力量やその時間（スロット）の情報を最上位のサーバに送信し、最上位のサーバで処理した結果を各ブレーカーやコンセントに送信することで、ブレーカーやコンセントから、サーバでの処理結果に相当する電力を電気製品に供給している。尚、本明細書に於いて電気製品とは、電気をエネルギーとして稼動する機械、器具、装置等を含む。
【０００４】
【特許文献１】特願２００４−１３８５０９号
【特許文献２】特開平１０−２８２１６１号公報
【特許文献３】特開２００１−６９６９１号公報
【特許文献４】特開２００４−１０４８６３号公報
【発明の開示】
【発明が解決しようとする課題】
【０００５】
このような電力制御システムの場合、リアルタイムな電力制御を行う為には、最上位のサーバに常に情報を送信して処理する必要がある。その為、最上位のサーバでの処理に著しい負担が生じることとなる。
【０００６】
例えば図４に示す系の場合、電気製品Ｄと電気製品Ｅの必要な電力量、電力の割当時間の情報をサーバＢに送信し、電気製品Ｆと電気製品Ｇの必要な電力量、電力の割当時間の情報をサーバＣに送信し、サーバＢとサーバＣは更にサーバＡに対して、電気製品Ｄから電気製品Ｇの必要な電力量、電力の割当時間の情報を送信する。そして、サーバＡに於いて各電気製品に供給する電力量、電力の割当時間の算出処理を行った後、その処理結果をサーバＢとサーバＣに送信する。サーバＢとサーバＣとは、サーバＡの処理結果に基づいて、電気製品Ｄから電気製品Ｇに対して処理結果に於ける電力量を当該割当時間分だけ供給することで、電力制御を実現している。
【０００７】
しかしこのような場合、最上位のサーバであるサーバＡに処理が集中するので、サーバＡに著しい負担が発生する。又、サーバＡに処理が集中するので、サーバＡではその系にどの電気製品が存在し（電気製品Ｄから電気製品Ｇが存在することを把握し）、その各電気製品に対してどれだけの電力を割り当てたかを把握することが出来てしまう。これは個々の電気製品がどれだけ電力を消費しているかを把握することを意味するので、プライバシー上の問題点もある。
【０００８】
一方、このような場合、サーバＡを設けることなくサーバＢとサーバＣで各々分散して処理する方法もあり、サーバＢ、サーバＣの管理範囲内では最適化されるが（部分最適化）、例えば電気製品Ｄと電気製品Ｆとの間では最適化（全体最適化）を行えない問題点がある。
【課題を解決するための手段】
【０００９】
そこで本発明者は上述の問題点を鑑み、最上位のサーバでの処理の際にも、その処理負担を減らし、且つ最上位のサーバ（最上位の電力制御システム）に於いて個々の電気製品の電力割当を把握することが出来ないような、即ちプライバシーを守ることを可能とする電力制御システムを発明した。
【００１０】
第１の発明は、電気製品とその上位の中間電力制御システムと最上位電力制御システムとからなる系に於いて、前記電気製品に対して電力の割当を行う電力制御システムであって、前記電気製品は、該電気製品の上位の前記中間電力制御システム又は最上位電力制御システムに対して前記電気製品の貢献量対応情報を送信する電気製品側貢献量対応情報送信部と、前記上位の前記中間電力制御システム又は最上位電力制御システムから該電気製品に対する電力の割当の情報を受信する電気製品側決定受信部と、を有しており、前記中間電力制御システムは、該中間電力制御システムの下位の前記電気製品又は中間電力制御システムから貢献量対応情報を受信する中間制御側貢献量対応情報受信部と、前記受信した貢献量対応情報を統合する中間制御側貢献量対応情報統合部と、該中間電力制御システムの上位の中間電力制御システム又は最上位電力制御システムに対して前記統合した貢献量対応情報を送信する中間制御側貢献量対応情報送信部と、前記上位の中間電力制御システム又は最上位電力制御システムから電力の割当の情報を受信し、その情報に基づいて前記下位の電気製品又は中間電力制御システムに対する電力の割当を決定し、その決定の情報を前記下位の電気製品又は中間電力制御システムに送信する中間制御側決定送受信部と、を有しており、前記最上位電力制御システムは、該最上位電力制御システムの下位の前記電気製品又は中間電力制御システムから貢献量対応情報を受信する最上位制御側貢献量対応情報受信部と、前記受信した貢献量対応情報を統合する最上位制御側貢献量対応情報統合部と、前記統合した貢献量対応情報に基づいて前記下位の電気製品又は中間電力制御システムに対する電力の割当を決定し、その決定の情報を下位の電気製品又は中間電力制御システムに送信する最上位制御側決定送信部と、を有する電力制御システムである。
【００１１】
このように、本発明に於いて用いられる電気製品では、上位の電力制御システムからの割当情報に基づいて電力を取得することで、系全体として効率的な電力を取得することが出来る。
【００１２】
電気製品が上位の中間電力制御システムに対して必要な電力の情報を貢献量対応情報として送信し、それを受信した中間電力制御システムで一つに統合し新たな貢献量対応情報とする。そしてそれを更に上位の制御システムに対して送信することによって、情報量を増やすことなく、最上位電力制御システムで処理することが出来る。又、末端の電気製品から最上位電力制御システムまでのトータル遅延時間（応答時間）もlog nオーダーとすることが出来る。
【００１３】
又、最上位電力制御システムに於いても、一つの貢献量対応情報に統合し、その中から最大の貢献量の場合の電力となる組合せを決定するに過ぎないので、従来のような処理負担の著しい増加を防ぐことが出来る。
【００１４】
更に、最上位電力制御システムでは、一つ下の中間電力制御システム又は電気製品から貢献量対応情報を一つずつ受信し統合しているだけなので、当該中間電力制御システムの更に下位にある電気製品がどのような電力を必要としているかを把握せずに処理することが出来る。即ち、中間電力制御システムで下位の電気製品又は電力制御システムの貢献量対応情報を統合し、統合した貢献量対応情報を上位に送信することによって、どの電気製品がどれだけの電力を必要としているかの情報の把握が行えない。従って、電力消費に関するプライバシーを保護することが出来る。
【００１５】
上述の第１の発明に於いて、前記中間電力制御システムは、前記統合した貢献量対応情報に於ける電力の組合せを記憶する中間制御側電力組合せ記憶部を更に有しており、前記中間制御側決定送受信部は、前記上位の中間電力制御システム又は最上位電力制御システムから電力の割当の情報を受信し、その割り当てられた電力となる組合せを前記中間制御側電力組合せ記憶部から抽出し、前記抽出した組合せを前記下位の電気製品又は中間電力制御システムに対する電力の割当として決定し、その決定の情報を前記下位の電気製品又は中間電力制御システムに送信する、ように構成しても良い。
【００１６】
又、同様に、前記最上位電力制御システムは、前記統合した貢献量対応情報に於ける電力の組合せを記憶する最上位制御側電力組合せ記憶部を更に有しており、前記最上位制御側決定送信部は、前記統合した貢献量対応情報から最も貢献量の大きい場合の電力を選択し、その電力となる組合せを前記最上位制御側電力組合せ記憶部から抽出し、前記抽出した組合せを前記下位の電気製品又は中間電力制御システムに対する電力の割当として決定し、その決定の情報を下位の電気製品又は中間電力制御システムに送信する、ように構成しても良い。
【００１７】
前記中間制御側貢献量対応情報統合部と前記最上位制御側貢献量対応情報統合部は、前記受信した各貢献量対応情報の電力毎に貢献量を加算することによって前記貢献量対応情報を統合すると良い。
【００１８】
第１の発明に於いて、前記中間制御側決定送受信部と前記最上位制御側決定送信部は、前記電力の割当はスロット毎に決定すると良い。又、第１の発明に於ける貢献量対応情報は、電力と貢献量との対応関係を示した情報とすると良い。
【００１９】
上述の発明に於ける貢献量は、前記電気製品の消費電力と時間との関係に基づいて算出することが出来る。例えば、該電気製品が要求するスロット数と該電気製品に電力を割り当てたスロット数と消費電力とに基づいて算出する、該電気製品が要求するスロット数と該電気製品に電力を未割当のスロット数と消費電力とに基づいて算出する、或いは過去の所定時間のうちで電力が割り当てられた時間から算出することも出来る。このようにして算出した貢献量は、前記電気製品の優先度であって、前記電気製品に電力が割り当てられることにより、該優先度を低くするようにすると良い。
【００２０】
貢献量とは電気製品に電力を割り当てる際に、より多くの電気製品を稼動させることを数値化したものである。即ち、貢献量を定義する際には下記のような条件を満たすものとすると好ましい。まず電力を割り当てることを考える場合、出来るだけ様々な機器に満遍なく電力を割り当てることが良い。しかし電力を割り当てる優先順位が一定だと、どれかの機器がオフになるまで電力の割当の状態は変わらなくなってしまう。そこで、電力の割当を受けた電気製品は、自らの優先順位を低くすることによって、電力の割当を受けなかった電気製品を優先する。このときに、全部のスロットを要求している２００Ｗの電気製品の貢献量と、全体の半分のスロットを要求している４００Ｗの電気製品の貢献量とを公平に比較するには、電力が割り当てられる度に貢献量が単調減少し、全ての要求スロットが割り当てられた時に貢献量が０となることが好ましい。そして、複数の電気製品に電力を割り当てた場合に、この電気製品群の全体の貢献量は、各々の電気製品の貢献量の合計として算出できることが望ましい。その為、貢献量は電力に比例する数値として表現すると良く、これによって例えば２００Ｗの電気製品４つの貢献量と、４００Ｗの電気製品２つの貢献量とが同じとなる。又、優先度や電気製品の効率・使用状況によって貢献量を増減しても良い。ある電気製品が他の電気製品よりも１０％効率的ならば、貢献量も１０％多く申告することで、効率も考慮した最適化が行われる。逆に、状況に応じて、例えば窓を開けたままのエアコン運転など効果の少ない場合には、貢献量を少なく申告することで、自動的に他の電気製品が優先される。
【００２１】
このような関係に基づくと、貢献量は、電気製品の消費電力（要求する電力）、必要な時間（スロット）との関係に基づいて算出することが好適である。
【００２２】
第１の発明に於ける電気製品側貢献量対応情報送信部は、該電気製品が一つ前のスロットで電力の割当を受けた場合には、該電気製品に電力が割り当てたスロット数を一つ加算して、又は該電気製品に電力を未割当のスロット数を一つ減算して、該電力に対する貢献量を算出し、新たな貢献量対応情報として、上位の中間電力制御システム又は最上位電力制御システムに対して送信する電力制御システムである。
【００２３】
電力を割り当てた電気製品には、電力を割り当てる優先度が減少する。その為、割り当てたスロット数を増加させるか、未割当のスロット数を減少させるかによって、次のスロットに対する貢献量を変更すると良い。
【００２４】
前記最上位制御側決定送信部は、前記最上位制御側貢献量対応情報統合部で統合した貢献量対応情報のうち最も大きい貢献量が複数ある場合には、ランダムに選択された貢献量の場合の電力、最も大きい電力、最も少ない電力のいずれかにより電力を選択し、その電力となる組合せを前記最上位制御側電力組合せ記憶部から抽出する、電力制御システムとしても良い。
【００２５】
本発明では、貢献量に基づいて電力を割り当てる電気製品を決定している。その為、貢献量が同値になった場合には、その中から一つの割当パターンを決定しなければならないが、上述のような決定の仕方を用いることが出来る。
【発明の効果】
【００２６】
本発明によって、一つの系に於ける最上位のサーバ（最上位電力制御システム）での処理の際にも、その処理負担を減らし、且つプライバシーを守ることが可能な電力制御システムが可能となる。
【発明を実施するための最良の形態】
【００２７】
本発明の電力制御システム１の一例を図１及び図２のシステム構成図に示す。図１のシステム構成図は、図４に示す構造を詳細に示した場合の電力制御システム１であり、図２のシステム構成図は、図１のシステム構成から中間電力制御システム３の一つを除き、代わりに最上位電力制御システム２に直接電気製品４が接続している場合を示している。
【００２８】
電力制御システム１は、最上位電力制御システム２と中間電力制御システム３と電気製品４との間で実現され、最上位電力制御システム２と中間電力制御システム３と電気製品４との間の情報の送受信は、上位と下位とが通信線或いは無線を介して接続しており、その通信線或いは無線を介して行われる。
【００２９】
最上位電力制御システム２は、下位の中間電力制御システム３又は電気製品４から貢献量対応情報を受信することで、スロット毎（後述）に、電力を割り当てる電気製品４を決定するシステムであって、電力制御を行う系の中で最上位に属するシステムである。尚、最上位電力制御システム２は、電力会社を最上位とする系の場合には電力会社に設けられ、変電所を最上位とする系の場合には変電所に設けられ、家庭や工場を最上位とする系の場合には家庭や工場に設けられる。このように、最上位電力制御システム２は、電力制御システム１で制御する系の最上位に設けられていれば良い。
【００３０】
尚、貢献量とは、電気製品４に電力を割り当てる際に、より多くの電気製品４を稼動させたいということを数値化したものである。一般的に消費電力と優先度を基準とするが、電力がたくさん割り当てられていれば貢献量を少なくする。
【００３１】
即ち、貢献量を定義する際には下記のような条件を満たすものとすると好ましい。まず電力を割り当てることを考える場合、出来るだけ様々な機器に満遍なく電力を割り当てることが良い。しかし電力を割り当てる優先順位が一定だと、どれかの機器がオフになるまで電力の割当の状態は変わらなくなってしまう。そこで、電力の割当を受けた電気製品は、自らの優先順位を低くすることによって、電力の割当を受けなかった電気製品を優先する。このときに、全部のスロットを要求している２００Ｗの電気製品の貢献量と、全体の半分のスロットを要求している４００Ｗの電気製品の貢献量とを公平に比較するには、電力が割り当てられる度に貢献量が単調減少し、全ての要求スロットが割り当てられた時に貢献量が０となることが好ましい。そして、複数の電気製品に電力を割り当てた場合に、この電気製品群の全体の貢献量は、各々の電気製品の貢献量の合計として算出できることが望ましい。その為、貢献量は電力に比例する数値として表現すると良く、これによって例えば２００Ｗの電気製品４つの貢献量と、４００Ｗの電気製品２つの貢献量とが同じとなる。又、優先度や電気製品の効率・使用状況によって貢献量を増減しても良い。ある電気製品が他の電気製品よりも１０％効率的ならば、貢献量も１０％多く申告することで、効率も考慮した最適化が行われる。逆に、状況に応じて、例えば窓を開けたままのエアコン運転など効果の少ない場合には、貢献量を少なく申告することで、自動的に他の電気製品が優先される。
【００３２】
このような関係に基づくと、貢献量は、電気製品の消費電力（要求する電力）、必要な時間（スロット）との関係に基づいて算出することが好適であって、例えば数１で示すことが出来る。
【数１】
2006050862.tif 000003
【００３３】
このようにして算出した貢献量とその電力との対応関係を示した情報を貢献量対応情報とし、電気製品４から中間電力制御システム３又は最上位電力制御システム２に対して送信することとなる。又、貢献量対応情報は、表、グラフ、関数、リストなど様々な方法で表現することが出来る。
【００３４】
スロットとは、電気製品４に対して電力を割り当てる割当時間の単位を意味している。スロットは如何なる時間単位で分割しても良く、例えば一般の家庭の電力は交流１００Ｖ、５０Ｈｚで電力供給されていることから、交流の正負それぞれについて割り当てを行い、１秒間が１００スロットで成立するとすると、１スロットは１００分の１秒となる（西日本は６０Ｈｚなので、１スロットは１２０分の１秒）。又、周波数で分割するのではなく、１スロットを所定時間（例えば１秒、１０秒、１分、１０分等）としても良い。このようにする場合には、１スロットあたりの時間を長く設定する場合に有効である。
【００３５】
更に、一つの電力制御システムの系の中に、複数の時間幅のスロットを混在させることも出来る。例えば、系全体は１０秒のスロットとして動作するが、ある中間電力制御システム３の系では１０秒のスロットを分割して１／１００秒のスロットとして動作させても良い。この中間電力制御システム３は、１／１００秒のスロットについて最上位電力制御システム２として機能する（実際の電力の割当は１０秒のスロットとして上位から割当を受ける）。
【００３６】
要求スロット数とは、電気製品４が稼動する為に必要な電力を要求する時間（スロット数単位）であり、残りスロット数とは、要求スロット数から、電力を割り当てたスロット数を減算したスロット数である。
【００３７】
尚、貢献量は上述の数１の他にも各種の数式で算出することが出来、電気製品４毎に設定されていても良い。又、例えば過去の１０スロットのうちで、電力が割り当てられたスロットから貢献量を計算しても良い。
【００３８】
中間電力制御システム３は、電気製品４と最上位電力制御システム２との間に設けられたシステムであって、電気製品４又は下位の中間電力制御システム３から貢献量対応情報を受信し、その貢献量対応情報を統合することによって、新たな貢献量対応情報を作成し、それを上位の中間電力制御システム３又は最上位電力制御システム２に送信するシステムである。図１では中間電力制御システム３を電気製品４と最上位電力制御システム２との間に一つ設けた場合を示しているが、電気製品４と最上位電力制御システム２との間に複数の階層の中間電力制御システム３を設けても良い。又、上位の中間電力制御システム３又は最上位電力制御システム２から受信した電力供給の決定に基づいて、下位の中間電力制御システム３又は電気製品４に電力を割り当てる割当時間を決定し、それを送信する。
【００３９】
例えば最上位電力制御システム２が一般家庭の配電盤に設けられている場合、中間電力制御システム３は、コンセント毎、部屋毎、階毎（１階、２階等）に設けることが出来る。即ち、電気製品４はコンセントに接続され、電気製品４から当該コンセントに取り付けられた中間電力制御システム３に対して貢献量対応情報が送信される。そしてコンセントに取り付けられた中間電力制御システム３でそのコンセントに接続された各電気製品４から受信した貢献量対応情報を統合し（後述）、新たな貢献量対応情報を上位の（部屋毎に設けられた）中間電力制御システム３に送信する。部屋毎に設けられた中間電力制御システム３は、当該部屋にある各コンセントに設けられた中間電力制御システム３から受信した貢献量対応情報に基づいて貢献量対応情報を統合し、新たな貢献量対応情報を上位の（階毎の）中間電力制御システム３に送信する。階毎に設けられた中間電力制御システム３は、当該階にある部屋毎に設けられた中間電力制御システム３から受信した貢献量対応情報に基づいて貢献量対応情報を統合し（後述）、新たな貢献量対応情報を最上位電力制御システム２に送信する。このように階層毎に中間電力制御システム３を設けることも出来る。この際に、中間電力制御システム３は、配線容量などに応じて割り当てる電力最大値を制限しても良い。例えば部屋毎の電力最大値として２０００Ｗ、階毎には５０００Ｗを上限とすることも出来る。
【００４０】
電気製品４は、貢献量対応情報を中間電力制御システム３又は最上位電力制御システム２に送信する電気製品側貢献量対応情報送信部５と電気製品側決定受信部６とを有しており、最上位電力制御システム２又は上位の中間電力制御システム３で決定された決定に基づいて電力を取得する電気製品４である。
【００４１】
電気製品側貢献量対応情報送信部５は、上位の中間電力制御システム３又は最上位電力制御システム２に対して、貢献量対応情報を送信する手段である。貢献量対応情報の一例を図５に示す。図５（ａ）は、図２のシステム構成に於ける電気製品４Ａが記憶する貢献量対応情報であり、図５（ｂ）は、図２のシステム構成に於ける電気製品４Ｂが記憶する貢献量対応情報であり、図５（ｃ）は、図２のシステム構成に於ける電気製品４Ｃが記憶する貢献量対応情報である。図５に示す貢献量対応情報では、上段に電力、下段に当該電力に於ける貢献量を対応させている。尚、電力は１００Ｗ単位で示している。例えば図５（ａ）の場合、８００Ｗの電力を割り当てた場合の貢献量は１６となり、図５（ｂ）の場合、７００Ｗの電力を割り当てた場合の貢献量は１４となり、図５（ｃ）の場合、６００Ｗの電力を割り当てた場合の貢献量は１２となる。
【００４２】
尚、ここでは電気製品４は個々に決まった電力を消費しているが、消費電力を切り替えられる電気製品４の場合には複数の電力と貢献量を貢献量対応情報に設定しても良い。即ち、消費電力が２００Ｗの場合には貢献量が３、消費電力が４００Ｗの場合には貢献量が８といったものを一つの貢献量対応情報に設定しても良い。
【００４３】
電気製品側決定受信部６は、上位の中間電力制御システム３又は最上位電力制御システム２から、それらで決定された結果（後述）を受信する手段である。当該電気製品４が決定された場合には、電気製品４はその決定に基づいて、当該スロットの間、コンセントから電力を取得する。
【００４４】
中間電力制御システム３は、中間制御側貢献量対応情報受信部７と中間制御側貢献量対応情報統合部８と中間制御側貢献量対応情報送信部１０と中間制御側電力組合せ記憶部９と中間制御側決定送受信部１１とを有している。
【００４５】
中間制御側貢献量対応情報受信部７は、電気製品４又は下位の中間電力制御システム３から送信された貢献量対応情報を受信する手段である。例えば図２のシステム構成の場合、中間制御側貢献量対応情報受信部７は、電気製品４Ａの貢献量対応情報（図５（ａ））と電気製品４Ｂの貢献量対応情報（図５（ｂ））とを受信する。
【００４６】
中間制御側貢献量対応情報統合部８は、中間制御側貢献量対応情報受信部７で受信した、各貢献量対応情報を統合する手段である。図２のシステム構成の場合、電気製品４Ａと電気製品４Ｂの貢献量対応情報の統合の場合、電力毎に貢献量を加算する。例えば、電気製品４Ａの貢献量対応情報に於ける電力毎の貢献量をａ［ｉ］、電気製品４Ｂの貢献量対応情報に於ける電力毎の貢献量をｂ［ｉ］、統合した貢献量対応情報に於ける電力毎の貢献量をｏｕｔ［ｉ］とすると、それぞれのｎ（０≦ｎ≦最大電力の範囲）について、ｏｕｔ［ｉ］は数２で示すことが出来る。
【数２】
2006050862.tif 000004
【００４７】
そうすると図５（ｄ）に示すようになる。即ち、電気製品４Ａにのみ電力を割り当てた場合の貢献量は、電気製品４Ａの電力が８００Ｗなので「１６」となり、電気製品４Ｂにのみ電力を割り当てた場合の貢献量は、電気製品４Ｂの電力が７００Ｗなので「１４」となり、電気製品４Ａと電気製品４Ｂの双方に電力を割り当てた場合の貢献量は、同時に使用すると１５００Ｗになるのでその貢献量は「３０」（＝１６＋１４）となる。
【００４８】
このように要素毎を加算することによって、各貢献量対応情報を統合する。
【００４９】
又、中間制御側貢献量対応情報統合部８は、中間制御側電力組合せ記憶部９に貢献量に対する電力の組み合わせを記憶させる。例えば上述の場合、貢献量が１６で電力が８００Ｗになる組み合わせは電気製品４Ａに８００Ｗと電気製品４Ｂに０Ｗを割り当てる組み合わせ、貢献量が１４で電力が７００Ｗになる組み合わせは電気製品４Ａに０Ｗと電気製品４Ｂに７００Ｗを割り当てる組み合わせ、貢献量が３０で電力が１５００Ｗになる組み合わせは電気製品４Ａに８００Ｗと電気製品４Ｂに７００Ｗを割り当てる組み合わせ、等の各組み合わせを記憶することとなる。
【００５０】
中間制御側貢献量対応情報送信部１０は、上位の中間電力制御システム３又は最上位電力制御システム２に対して、中間制御側貢献量対応情報統合部８で統合した新たな貢献量対応情報を送信する手段である。上述の例では、図５（ｄ）の貢献量対応情報を上位の中間電力制御システム３又は最上位電力制御システム２に対して送信することとなる。
【００５１】
中間制御側決定送受信部１１は、上位の中間電力制御システム３又は最上位電力制御システム２から、自らの中間制御システムに対する電力の割当の決定（後述）を受信し、その決定に基づいて下位の中間電力制御システム３又は電気製品４に対してどれだけ電力を割り当てるかを決定する手段である。
【００５２】
例えば中間制御側決定送受信部１１で、当該中間電力制御システム３に１５００Ｗの割当の決定を受信すると、中間制御側電力組合せ記憶部９に記憶している１５００Ｗになる電力の組み合わせを抽出し、貢献量が最も大きい電力の組合せを決定する。上述の場合、電力が１５００Ｗになるのは電気製品４Ａに８００Ｗ、電気製品４Ｂに７００Ｗを割り当てる組み合わせなので、このように電力を割り当てることを中間制御側決定送受信部１１は決定し、電気製品４Ａに８００Ｗと電気製品４Ｂに７００Ｗを割り当てることを送信する。
【００５３】
これらの決定を電気製品側決定受信部６で受信すると、上述のように、電気製品４Ａは８００Ｗ、電気製品４Ｂは７００Ｗの電力を取得することとなる。
【００５４】
最上位電力制御システム２は、最上位制御側貢献量対応情報受信部１２と最上位制御側貢献量対応情報統合部１３と最上位制御側電力組合せ記憶部１４と最上位制御側決定送信部１５とを有している。
【００５５】
最上位制御側貢献量対応情報受信部１２は、下位の中間電力制御システム３又は電気製品４から貢献量対応情報を受信する手段である。例えば図２のシステム構成の場合、最上位制御側貢献量対応情報受信部１２は、中間電力制御システム３の貢献量対応情報（図５（ｄ））と電気製品４Ｃの貢献量対応情報（図５（ｃ））とを受信する。
【００５６】
最上位制御側貢献量対応情報統合部１３は、最上位制御側貢献量対応情報受信部１２で受信した、各貢献量対応情報を統合する手段である。図２のシステム構成の場合、中間電力制御システム３から受信した貢献量対応情報（図５（ｄ））と電気製品４Ｃから受信した貢献量対応情報（図５（ｃ））との統合の場合、電力毎に貢献量を数２に示すように加算する。統合した貢献量対応情報は図５（ｅ）に示すようになる。
【００５７】
上述の最上位制御側貢献量対応情報統合部１３及び中間制御側貢献量対応情報統合部８での貢献量対応情報の統合について、数２のように各要素を加算する方法はその一例に過ぎず、他の方法によっても良い。例えば電力あたりの貢献量を出力し、電力による加重平均によって貢献量対応情報の統合を行うこととしても良い。
【００５８】
最上位制御側貢献量対応情報統合部１３は、中間制御側貢献量対応情報統合部８と同様に、最上位制御側電力組合せ記憶部１４に貢献量に対する電力の組み合わせを記憶させる。上述の場合、貢献量が３０で電力が１５００Ｗの場合には中間電力制御システム３に１５００Ｗと電気製品４Ｃに０Ｗを割り当てる場合、貢献量が２８で電力が１４００Ｗの場合には中間電力制御システム３に８００Ｗと電気製品４Ｃに６００Ｗを割り当てる場合、貢献量が２６で電力が１３００Ｗの場合には中間電力制御システム３に７００Ｗと電気製品４Ｃに６００Ｗを割り当てる場合、貢献量が１６で電力が８００Ｗの場合には中間電力制御システム３に８００Ｗと電気製品４Ｃに０Ｗを割り当てる場合、貢献量が１４で電力が７００Ｗの場合には中間電力制御システム３に７００Ｗと電気製品４Ｃに０Ｗを割り当てる場合、貢献量が１２で電力が６００Ｗの場合には中間電力制御システム３に０Ｗと電気製品４Ｃに６００Ｗを割り当てる場合と、各々の組み合わせを記憶することとなる。尚、電気製品４Ａに８００Ｗ、電気製品４Ｂに７００Ｗ、電気製品Ｃに６００Ｗを割り当てた場合については、合計が２１００Ｗとなり、貢献量対応情報からあふれる（２０００Ｗを超える）為、無視される。
【００５９】
最上位制御側決定送信部１５は、最上位制御側貢献量対応情報統合部１３で作成した貢献量対応情報に基づいて、下位の中間電力制御システム３又は電気製品４にどれだけ電力を割り当てるかを決定し、その決定した結果を下位の中間電力制御システム３又は電気製品４に対して送信する手段である。
【００６０】
この場合、最も貢献量が高い場合の電力の組み合わせで決定すると良い。例えば最上位制御側貢献量対応情報統合部１３で統合した貢献量対応情報の各要素をｏｕｔ［ｉ］とし、選択する貢献量をｄｏｕｔとすると、数３を満たす貢献量ｄｏｕｔを選択した後、この貢献量となる電力の組合せを最上位制御側電力組合せ記憶部１４から抽出し、決定する。
【数３】
2006050862.tif 000005
【００６１】
尚、同値の貢献量が複数ある場合、ランダムに決定する、電力が大きい又は少ない組み合わせを優先する等の各種の決定方法がある。例えば、図５（ｅ）に示す貢献量対応情報の場合、貢献量（「３０」）が最も高い貢献量であり、貢献量が「３０」の場合には電力が１５００Ｗであることから、最上位制御側電力組合せ記憶部１４に記憶した電力の組み合わせに基づいて、中間電力制御システム３に１５００Ｗと電気製品４Ｃに０Ｗを割り当てることを決定する。尚、本明細書では貢献量が同値の場合、電力が大きい方を優先するものとする。
【００６２】
そして最上位制御側決定送信部１５は、下位の中間電力制御システム３又は電気製品４Ｃに対して、中間電力制御システム３に１５００Ｗと電気製品４Ｃに０Ｗを割り当てることの決定を送信することとなる。
【００６３】
次に本発明の電力制御システム１の具体的な実施例を図２のシステム構成図及び図３のフローチャートを用いて説明する。尚、図２と図１とは中間電力制御システム３の数が違うのみで、同様に実現することが出来る。又、中間電力制御システム３を複数設けたり、中間電力制御システム３の下位の電気製品４の数を増減しても同様に実現することが出来る。
【００６４】
本実施例の系においては、最上位電力制御システム２の下位に一つの中間電力制御システム３と一つの電気製品４Ｃとが接続しており、中間電力制御システム３の下位に二つの電気製品４（電気製品４Ａ、電気製品４Ｂ）が接続している。
【００６５】
電気製品４Ａが消費する電力は８００Ｗ、要求スロット数は１４とし、電気製品４Ｂが消費する電力は７００Ｗ、要求スロット数は８とし、電気製品４Ｃが消費する電力は６００Ｗ、要求スロット数は８とする。又、供給することの出来る最大の電力を２０００Ｗ、スロット数を１５とする。
【００６６】
又、各電力に対する貢献量は、上述の数１で算出されるものとするが、実際には如何なる算出式を用いても良く、又、電気製品４毎に異なっていても良いし、電気製品４の使用状態に応じて貢献量を変化させても良い。
【００６７】
電気製品４は電力の割当を受ける為に、予め電気製品４に記憶されている貢献量対応情報を電気製品側貢献量対応情報送信部５から中間電力制御システム３又は最上位電力制御システム２に対して送信する。この際に送信する貢献量対応情報は下記のように、電気製品４Ａについては図５（ａ）、電気製品４Ｂについては図５（ｂ）、電気製品４Ｃについては図５（ｃ）となる。尚、本明細書では貢献量対応情報に於ける貢献量の小数第１位以下は四捨五入し整数にしているが、整数にせずに小数第１位以下まで考慮しても良い。又、以下の数式ではワット数は１００Ｗ単位で扱い、例えば２００Ｗは値「２」としている。実際の機器では如何なる単位であっても良い。
【００６８】
即ち、貢献量は残りスロット数÷要求スロット数×電力×２で表されるので、電力が８００Ｗで要求スロット数が１４の電気製品４Ａの場合には、
１４÷１４×８００Ｗ×２＝１６
となるので、電力８００Ｗの場合に貢献量が１６となる。
【００６９】
電力が７００Ｗで要求スロット数が８の電気製品４Ｂの場合には、
８÷８×７００Ｗ×２＝１４
となるので、電力７００Ｗの場合に貢献量が１４となる。
【００７０】
電力が６００Ｗで要求スロット数が８の電気製品４Ｃの場合には、
８÷８×６００Ｗ×２＝１２
となるので、電力６００Ｗの場合に貢献量が１２となる。
【００７１】
従って電気製品４Ａと電気製品４Ｂの電気製品側貢献量対応情報送信部５は、上位の中間電力制御システム３に対して各々の貢献量対応情報（図５（ａ）、図５（ｂ））を送信し、電気製品４Ｃの電気製品側貢献量対応情報送信部５は、上位の最上位電力制御システム２に対して貢献量対応情報（図５（ｃ））を送信する。
【００７２】
このようにして送信された貢献量対応情報を、中間電力制御システム３の中間制御側貢献量対応情報受信部７、最上位電力制御システム２の最上位制御側貢献量対応情報受信部１２で受信する（Ｓ１００）。最上位制御側貢献量対応情報受信部１２は、下位の中間電力制御システム３からの貢献量対応情報を受信していないので、最上位電力制御システム２での処理が行えず（Ｓ１１０）、中間電力制御システム３から受信するまで待機する。
【００７３】
一方、中間制御側貢献量対応情報受信部７で、電気製品４Ａと電気製品４Ｂから貢献量対応情報を受信すると、中間制御側貢献量対応情報統合部８は、受信した電気製品４Ａと電気製品４Ｂの貢献量対応情報を、電力毎に貢献量を数２に示すように加算することで統合する（Ｓ１２０）。
【００７４】
即ち、電気製品４Ａにのみ電力供給をした場合の貢献量は、電気製品４Ａの電力が８００Ｗなので「１６」となり、電気製品４Ｂにのみ電力供給した場合の貢献量は、電気製品４Ｂの電力が７００Ｗなので「１４」となり、電気製品４Ａと電気製品４Ｂの双方に電力供給した場合の貢献量は、同時に使用すると１５００Ｗになるのでその貢献量は「３０」（＝１６＋１４）となる。それ以外の要素の場合は、貢献量が０なので、加算しても０となる。
【００７５】
従って図５（ｄ）に示すような新たな貢献量対応情報を作成することが出来る。
【００７６】
又、中間制御側貢献量対応情報統合部８は、電力が１５００Ｗになる組み合わせは電気製品４Ａに８００Ｗと電気製品４Ｂに７００Ｗを割り当てる場合、電力が８００Ｗになる組み合わせは電気製品４Ａに８００Ｗと電気製品４Ｂに０Ｗを割り当てる場合、電力が７００Ｗになる組み合わせは電気製品４Ａに０Ｗと電気製品４Ｂに７００Ｗを組み合わせる場合であることの、各組み合わせを中間制御側電力組合せ記憶部９に記憶する。
【００７７】
中間制御側貢献量対応情報送信部１０は、最上位電力制御システム２に対して、Ｓ１２０で作成した新たな貢献量対応情報（図５（ｄ）の貢献量対応情報）を送信する（Ｓ１３０）。
【００７８】
最上位制御側貢献量対応情報受信部１２は、中間制御側貢献量対応情報送信部１０から送信された貢献量対応情報を受信する（Ｓ１００）。そうすると最上位制御側貢献量対応情報受信部１２は、全ての下位の中間電力制御システム３又は電気製品４Ｃから貢献量対応情報を受信していることから、最上位電力制御システム２での処理が行える（Ｓ１１０）。
【００７９】
そこで最上位制御側貢献量対応情報統合部１３は、最上位制御側貢献量対応情報受信部１２で受信した貢献量対応情報に基づいて、貢献量対応情報を統合する（Ｓ１４０）。即ち中間電力制御システム３から受信した貢献量対応情報（図５（ｄ））と電気製品４Ｃの貢献量対応情報（図５（ｃ））とを、上述と同様に電力毎に貢献量を数２に示すように加算することで統合する。統合した貢献量対応情報は図５（ｅ）に示すようになる。
【００８０】
又、最上位制御側貢献量対応情報統合部１３は、電力の組み合わせを最上位制御側電力組合せ記憶部１４に記憶する。上述の場合、電力が１５００Ｗの場合には中間電力制御システム３に１５００Ｗと電気製品４Ｃに０Ｗを割り当てる場合、電力が１４００Ｗの場合には中間電力制御システム３に８００Ｗと電気製品４Ｃに６００Ｗを割り当てる場合、電力が１３００Ｗの場合には中間電力制御システム３に７００Ｗと電気製品４Ｃに６００Ｗを割り当てる場合、電力が８００Ｗの場合には中間電力制御システム３に８００Ｗと電気製品４Ｃに０Ｗを割り当てる場合、電力が７００Ｗの場合には中間電力制御システム３に７００Ｗと電気製品４Ｃに０Ｗを割り当てる場合、電力が６００Ｗの場合には中間電力制御システム３に０Ｗと電気製品４Ｃに６００Ｗを割り当てる場合と、各々の組み合わせを記憶することとなる。
【００８１】
最上位制御側貢献量対応情報統合部１３で、新たな貢献量対応情報を作成後、最上位制御側決定送信部１５は、作成した貢献量対応情報に基づいて貢献量を比較し（Ｓ１５０）、下位の中間電力制御システム３又は電気製品４に対して割り当てる電力を決定する（Ｓ１６０）。この場合、最も貢献量が高い場合の電力の組み合わせで決定すると良い。
【００８２】
例えば、図５（ｅ）に示す貢献量対応情報の場合、貢献量（「３０」）が最も高い貢献量なので、第１スロットにおいては、貢献量が「３０」の場合の電力１５００Ｗとなる組み合わせを、最上位制御側電力組合せ記憶部１４に記憶した組み合わせから抽出する。この場合には中間電力制御システム３に１５００Ｗと電気製品４Ｃに０Ｗの組み合わせを抽出し、中間電力制御システム３に１５００Ｗ、電気製品４Ｃに０Ｗを第１スロットで割り当てることを決定することとなる。
【００８３】
Ｓ１６０での決定後、最上位制御側決定送信部１５は、電力決定部で決定した結果（中間電力制御システム３に１５００Ｗと電気製品４Ｃに０Ｗを割り当てる）を下位の中間電力制御システム３、電気製品４Ｃに対して送信する（Ｓ１７０）。
【００８４】
電気製品４Ｃの電気製品側決定受信部６は、Ｓ１７０で送信された結果を受信する。そして電気製品４Ｃは第１スロットでは電力の割当がない決定なので、電気製品４Ｃは電力を取得しない。
【００８５】
一方、Ｓ１７０で送信された結果を受信した中間電力制御システム３の中間制御側決定送受信部１１は、当該中間電力制御システム３に１５００Ｗを割り当てることの決定なので、電力が１５００Ｗになる組み合わせを中間制御側電力組合せ記憶部９から抽出する。
【００８６】
そうすると電力が１５００Ｗになる組合せは、電気製品４Ａに８００Ｗと電気製品４Ｂに７００Ｗを割り当てる組合せとなるので、その結果を更に、下位の電気製品４Ａと電気製品４Ｂに送信する（Ｓ１７０）。そして電気製品４Ａと電気製品４Ｂの電気製品側決定受信部６は、中間電力制御システム３が送信した結果を受信する。そして電気製品４Ａは８００Ｗ、電気製品４Ｂは７００Ｗの割当がある決定なので、電気製品４Ａ及び電気製品４Ｂは、中間電力制御システム３が設けられたコンセントから当該電力を取得する（Ｓ１８０）。
【００８７】
このような処理プロセスを経ることによって、第１スロットについて電力の割当が決定される。次に第２スロットの電力割当について、上述と同様に説明する。
【００８８】
電気製品４Ａと電気製品４Ｂには、第１スロットで電力が割り当てられたので、各々の貢献量が次のようになる。即ち、電気製品４Ａは電力８００Ｗで残りのスロット数が１３、要求スロット数が１４なので、
貢献量＝１３÷１４×８００Ｗ×２≒１４．８６
となるので、電力８００Ｗの場合に貢献量は１５となる（本実施例では小数点以下を四捨五入し整数としているが、小数点以下も含めた貢献量としても良い。以下同様）。
【００８９】
同様に電気製品４Ｂは電力７００Ｗで残りのスロット数が７、要求スロット数が８なので、
貢献量＝７÷８×７００Ｗ×２＝１２．２５
となるので、電力７００Ｗの場合に貢献量は１２となる。
【００９０】
電気製品４Ｃは第１スロットで電力を割り当てられていないので、貢献量には変化は見られず、図５（ｃ）と同一である。電気製品４Ａの貢献量対応情報を図６（ａ）、電気製品４Ｂの貢献量対応情報を図６（ｂ）、電気製品４Ｃの貢献量対応情報を図６（ｃ）に示す。
【００９１】
そうすると各電気製品４は電気製品側貢献量対応情報送信部５から、貢献量対応情報を中間電力制御システム３、最上位電力制御システム２に対して送信し、それらを中間制御側貢献量対応情報受信部７、最上位制御側貢献量対応情報受信部１２で受信する（Ｓ１００）。
【００９２】
中間制御側貢献量対応情報統合部８は、上述と同様に、Ｓ１００で受信した電気製品４Ａ及び電気製品４Ｂの貢献量対応情報を統合し（Ｓ１２０）、新たな貢献量対応情報として図６（ｄ）を作成する。
【００９３】
又、中間制御側貢献量対応情報統合部８は、中間制御側電力組合せ記憶部９で電力の組合せを記憶する。
【００９４】
そして作成した新たな貢献量対応情報（図６（ｄ））を中間制御側貢献量対応情報送信部１０が最上位電力制御システム２に送信し（Ｓ１３０）、最上位制御側貢献量対応情報受信部１２で受信する（Ｓ１１０）。最上位電力制御システム２は、下位の貢献量対応情報を最上位制御側貢献量対応情報受信部１２で受信したことにより処理が可能となったので、最上位制御側貢献量対応情報統合部１３は、上述と同様に中間電力制御システム３と電気製品４Ｃとから受信した各貢献量対応情報を上述と同様に統合する（Ｓ１４０）。
【００９５】
このようにして統合された、新たな貢献量対応情報を図６（ｅ）に示す。
【００９６】
最上位制御側貢献量対応情報統合部１３は、最上位制御側電力組合せ記憶部１４に電力の組合せを記憶する。
【００９７】
最上位制御側決定送信部１５は、Ｓ１４０の最上位制御側貢献量対応情報統合部１３で作成された新たな貢献量対応情報に基づいて貢献量を比較し（Ｓ１５０）、下位の中間電力制御システム３又は電気製品４に電力を割り当てるかを決定する（Ｓ１６０）。
【００９８】
ここで図６（ｅ）に示す貢献量対応情報の場合、貢献量（「２７」）が最も高い貢献量である。貢献量２７となる電力は１４００Ｗの時と１５００Ｗの場合の２通りあり、本実施例では貢献量が同値の場合、電力が大きい場合を優先するので、ここでは１５００Ｗが選択される。電力が１５００Ｗとなる組合せは、最上位制御側電力組合せ記憶部１４から抽出すると、中間電力制御システム３に１５００Ｗと電気製品４Ｃに０Ｗを割り当てる場合なので、そうすると、第２スロットに於いても第１スロットと同様の電力の割当を決定することとなる。
【００９９】
Ｓ１６０での決定後、最上位制御側決定送信部１５は、決定した結果（中間電力制御システム３に１５００Ｗと電気製品４Ｃに０Ｗを割り当てる）を下位の中間電力制御システム３、電気製品４Ｃに対して送信する（Ｓ１７０）。
【０１００】
電気製品４Ｃの電気製品側決定受信部６は、Ｓ１７０で送信された結果を受信する。そして電気製品４Ｃは第２スロットでは電力の割当がない決定なので、電気製品４Ｃは電力を取得しない。
【０１０１】
一方、Ｓ１７０で送信された結果を受信した中間電力制御システム３の中間制御側決定送受信部１１は、当該中間電力制御システム３に１５００Ｗを割り当てることの決定なので、電力が１５００Ｗになる組み合わせを中間制御側電力組合せ記憶部９から抽出する。
【０１０２】
そうすると電力が１５００Ｗになる組合せは、電気製品４Ａに８００Ｗと電気製品４Ｂに７００Ｗを割り当てる組合せとなるので、その結果を更に、下位の電気製品４Ａと電気製品４Ｂに送信する（Ｓ１７０）。そして電気製品４Ａと電気製品４Ｂの電気製品側決定受信部６は、中間電力制御システム３が送信した結果を受信する。そして電気製品４Ａは８００Ｗ、電気製品４Ｂは７００Ｗの割当がある決定なので、電気製品４Ａ及び電気製品４Ｂは、中間電力制御システム３が設けられたコンセントから当該電力を取得する（Ｓ１８０）。
【０１０３】
このような処理プロセスを経ることによって、第２スロットについて電力の割当が決定される。次に第３スロットの電力の割当について、上述と同様に説明する。
【０１０４】
電気製品４Ａと電気製品４Ｂには、第２スロットで電力が割り当てられたので、各々の貢献量が次のようになる。即ち、電気製品４Ａは電力８００Ｗで残りのスロット数が１２、要求スロット数が１３なので、
貢献量＝１２÷１４×８００Ｗ×２≒１３．７１
となるので、電力８００Ｗの場合に貢献量は１４となる。
【０１０５】
同様に電気製品４Ｂは電力７００Ｗで残りのスロット数が６、要求スロット数が８なので、
貢献量＝６÷８×７００Ｗ×２＝１０．５
となるので、電力７００Ｗの場合に貢献量は１１となる。
【０１０６】
電気製品４Ｃは第１スロット及び第２スロットで電力を割当られていないので、貢献量には変化は見られず、図５（ｃ）と同一である。電気製品４Ａの貢献量対応情報を図７（ａ）、電気製品４Ｂの貢献量対応情報を図７（ｂ）、電気製品４Ｃの貢献量対応情報を図７（ｃ）に示す。
【０１０７】
そうすると各電気製品４は電気製品側貢献量対応情報送信部５から、貢献量対応情報を中間電力制御システム３、最上位電力制御システム２に対して送信し、それらを中間制御側貢献量対応情報受信部７、最上位制御側貢献量対応情報受信部１２で受信する（Ｓ１００）。
【０１０８】
中間制御側貢献量対応情報統合部８は、上述と同様に、Ｓ１００で受信した電気製品４Ａ及び電気製品４Ｂの貢献量対応情報を統合し（Ｓ１２０）、新たな貢献量対応情報として図７（ｄ）を作成する。
【０１０９】
又、中間制御側貢献量対応情報統合部８は、中間制御側電力組合せ記憶部９で電力の組合せを記憶する。
【０１１０】
そして作成した新たな貢献量対応情報（図７（ｄ））を中間制御側貢献量対応情報送信部１０が最上位電力制御システム２に送信し（Ｓ１３０）、最上位制御側貢献量対応情報受信部１２で受信する（Ｓ１１０）。最上位電力制御システム２は、下位の貢献量対応情報を最上位制御側貢献量対応情報受信部１２で受信したことにより処理が可能となったので、最上位制御側貢献量対応情報統合部１３は、上述と同様に中間電力制御システム３と電気製品４Ｃとから受信した各貢献量対応情報を上述と同様に統合する（Ｓ１４０）。
【０１１１】
このようにして統合された、新たな貢献量対応情報を図７（ｅ）に示す。
【０１１２】
又、最上位制御側貢献量対応情報統合部１３は、最上位制御側電力組合せ記憶部１４で電力の組合せを記憶する。
【０１１３】
最上位制御側決定送信部１５は、Ｓ１４０の最上位制御側貢献量対応情報統合部１３で作成された新たな貢献量対応情報に基づいて貢献量を比較し（Ｓ１５０）、下位の中間電力制御システム３又は電気製品４に電力を割り当てるかを決定する（Ｓ１６０）。
【０１１４】
ここで図７（ｅ）に示す貢献量対応情報の場合、貢献量（「２６」）が最も高い貢献量である。貢献量２６となる電力は１４００Ｗであり、電力が１４００Ｗとなる組合せを最上位制御側電力組合せ記憶部１４から抽出すると、中間電力制御システム３に８００Ｗと電気製品４Ｃに６００Ｗを割り当てる場合なので、そうすると、第３スロットに於いては、中間電力制御システム３に８００Ｗと電気製品４Ｃに６００Ｗを割り当てる決定をすることとなる。
【０１１５】
Ｓ１６０での決定後、最上位制御側決定送信部１５は、決定した結果（中間電力制御システム３に８００Ｗと電気製品４Ｃに６００Ｗを割り当てる）を下位の中間電力制御システム３、電気製品４Ｃに対して送信する（Ｓ１７０）。
【０１１６】
電気製品４Ｃの電気製品側決定受信部６は、Ｓ１７０で送信された結果を受信する。そして電気製品４Ｃは６００Ｗの電力を割り当てる決定なので、電気製品４Ｃは６００Ｗを第３スロットで取得する。
【０１１７】
一方、Ｓ１７０で送信された結果を受信した中間電力制御システム３の中間制御側決定送受信部１１は、当該中間電力制御システム３に８００Ｗを割り当てることの決定なので、電力が８００Ｗになる組み合わせを中間制御側電力組合せ記憶部９から抽出する。
【０１１８】
そうすると電力が８００Ｗになる組合せは、電気製品４Ａに８００Ｗと電気製品４Ｂに０Ｗを割り当てる組合せとなるので、その結果を更に、下位の電気製品４Ａと電気製品４Ｂに送信する（Ｓ１７０）。そして電気製品４Ａと電気製品４Ｂの電気製品側決定受信部６は、中間電力制御システム３が送信した結果を受信する。そして電気製品４Ａは８００Ｗ、電気製品４Ｂが０Ｗの割当がある決定なので、電気製品４Ａは、中間電力制御システム３が設けられたコンセントから当該電力を取得する（Ｓ１８０）。
【０１１９】
このような処理プロセスを経ることによって、第３スロットについて電力の割当が決定される。次に第４スロットの電力の割当について、上述と同様に説明する。
【０１２０】
電気製品４Ａと電気製品４Ｃには、第３スロットで電力が割り当てられたので、各々の貢献量が次のようになる。即ち、電気製品４Ａは電力８００Ｗで残りのスロット数が１１、要求スロット数が１４なので、
貢献量＝１１÷１４×８００Ｗ×２≒１２．５７
となるので、電力８００Ｗの場合に貢献量は１３となる。
【０１２１】
同様に電気製品４Ｂは電力７００Ｗで残りのスロット数が６、要求スロット数が８なので、
貢献量＝６÷８×７００Ｗ×２＝１０．５
となるので、電力７００Ｗの場合に貢献量は１１となる。
【０１２２】
電気製品４Ｃは、第３スロットで電力が割り当てられたので、電力６００Ｗで残りのスロット数が７、要求スロット数が８なので、
貢献量＝７÷８×６００Ｗ×２＝１０．５
となるので、電力６００Ｗの場合に貢献量は１１となる。
【０１２３】
電気製品４Ａの貢献量対応情報を図８（ａ）、電気製品４Ｂの貢献量対応情報を図８（ｂ）、電気製品４Ｃの貢献量対応情報を図８（ｃ）に示す。
【０１２４】
そうすると各電気製品４は電気製品側貢献量対応情報送信部５から、貢献量対応情報を中間電力制御システム３、最上位電力制御システム２に対して送信し、それらを中間制御側貢献量対応情報受信部７、最上位制御側貢献量対応情報受信部１２で受信する（Ｓ１００）。
【０１２５】
中間制御側貢献量対応情報統合部８は、上述と同様に、Ｓ１００で受信した電気製品４Ａ及び電気製品４Ｂの貢献量対応情報を統合し（Ｓ１２０）、新たな貢献量対応情報として図８（ｄ）を作成する。
【０１２６】
又、中間制御側貢献量対応情報統合部８は、中間制御側電力組合せ記憶部９で電力の組合せを記憶する。
【０１２７】
そして作成した新たな貢献量対応情報（図８（ｄ））を中間制御側貢献量対応情報送信部１０が最上位電力制御システム２に送信し（Ｓ１３０）、最上位制御側貢献量対応情報受信部１２で受信する（Ｓ１１０）。最上位電力制御システム２は、下位の貢献量対応情報を最上位制御側貢献量対応情報受信部１２で受信したことにより処理が可能となったので、最上位制御側貢献量対応情報統合部１３は、上述と同様に中間電力制御システム３と電気製品４Ｃとから受信した各貢献量対応情報を上述と同様に統合する（Ｓ１４０）。
【０１２８】
このようにして統合された、新たな貢献量対応情報を図８（ｅ）に示す。
【０１２９】
又、最上位制御側貢献量対応情報統合部１３は、最上位制御側電力組合せ記憶部１４で電力の組合せを記憶する。
【０１３０】
最上位制御側決定送信部１５は、Ｓ１４０の最上位制御側貢献量対応情報統合部１３で作成された新たな貢献量対応情報に基づいて貢献量を比較し（Ｓ１５０）、下位の中間電力制御システム３又は電気製品４に電力を割り当てるかを決定する（Ｓ１６０）。
【０１３１】
ここで図８（ｅ）に示す貢献量対応情報の場合、貢献量（「２４」）が最も高い貢献量である。貢献量２４となる電力は１５００Ｗと１４００Ｗであるが、電力が大きい１５００Ｗが優先されるので、電力が１５００Ｗとなる組合せを最上位制御側電力組合せ記憶部１４から抽出する。この組合せは中間電力制御システム３に１５００Ｗと電気製品４Ｃに０Ｗを割り当てる場合なので、そうすると、第４スロットに於いては、中間電力制御システム３に１５００Ｗと電気製品４Ｃに０Ｗを割り当てる決定をすることとなる。
【０１３２】
Ｓ１６０での決定後、最上位制御側決定送信部１５は、決定した結果（中間電力制御システム３に１５００Ｗと電気製品４Ｃに０Ｗを割り当てる）を下位の中間電力制御システム３、電気製品４Ｃに対して送信する（Ｓ１７０）。
【０１３３】
電気製品４Ｃの電気製品側決定受信部６は、Ｓ１７０で送信された結果を受信する。そして電気製品４Ｃは０Ｗの電力を割り当てる決定なので、電気製品４Ｃは電力を取得しない。
【０１３４】
一方、Ｓ１７０で送信された結果を受信した中間電力制御システム３の中間制御側決定送受信部１１は、当該中間電力制御システム３に１５００Ｗを割り当てることの決定なので、電力が１５００Ｗになる組み合わせを中間制御側電力組合せ記憶部９から抽出する。
【０１３５】
そうすると電力が１５００Ｗになる組合せは、電気製品４Ａに８００Ｗと電気製品４Ｂに７００Ｗを割り当てる組合せとなるので、その結果を更に、下位の電気製品４Ａと電気製品４Ｂに送信する（Ｓ１７０）。そして電気製品４Ａと電気製品４Ｂの電気製品側決定受信部６は、中間電力制御システム３が送信した結果を受信する。そして電気製品４Ａは８００Ｗ、電気製品４Ｂが７００Ｗの割当がある決定なので、電気製品４Ａ及び電気製品４Ｂは、中間電力制御システム３が設けられたコンセントから当該電力を取得する（Ｓ１８０）。
【０１３６】
このような処理プロセスを経ることによって、第４スロットについて電力の割当が決定される。次に第５スロットの電力の割当について、上述と同様に説明する。
【０１３７】
電気製品４Ａと電気製品４Ｂには、第４スロットで電力が割り当てられたので、各々の貢献量が次のようになる。即ち、電気製品４Ａは電力８００Ｗで残りのスロット数が１０、要求スロット数が１４なので、
貢献量＝１０÷１４×８００Ｗ×２≒１１．４３
となるので、電力８００Ｗの場合に貢献量は１１となる。
【０１３８】
同様に電気製品４Ｂは電力７００Ｗで残りのスロット数が５、要求スロット数が８なので、
貢献量＝５÷８×７００Ｗ×２＝８．７５
となるので、電力７００Ｗの場合に貢献量は９となる。
【０１３９】
電気製品４Ｃは、電力６００Ｗで残りのスロット数が７、要求スロット数が８なので、
貢献量＝７÷８×６００Ｗ×２＝１０．５
となるので、電力６００Ｗの場合に貢献量は１１となる。
【０１４０】
電気製品４Ａの貢献量対応情報を図９（ａ）、電気製品４Ｂの貢献量対応情報を図９（ｂ）、電気製品４Ｃの貢献量対応情報を図９（ｃ）に示す。
【０１４１】
そうすると各電気製品４は電気製品側貢献量対応情報送信部５から、貢献量対応情報を中間電力制御システム３、最上位電力制御システム２に対して送信し、それらを中間制御側貢献量対応情報受信部７、最上位制御側貢献量対応情報受信部１２で受信する（Ｓ１００）。
【０１４２】
中間制御側貢献量対応情報統合部８は、上述と同様に、Ｓ１００で受信した電気製品４Ａ及び電気製品４Ｂの貢献量対応情報を統合し（Ｓ１２０）、新たな貢献量対応情報として図９（ｄ）を作成する。
【０１４３】
又、中間制御側貢献量対応情報統合部８は、中間制御側電力組合せ記憶部９で電力の組合せを記憶する。
【０１４４】
そして作成した新たな貢献量対応情報（図９（ｄ））を中間制御側貢献量対応情報送信部１０が最上位電力制御システム２に送信し（Ｓ１３０）、最上位制御側貢献量対応情報受信部１２で受信する（Ｓ１１０）。最上位電力制御システム２は、下位の貢献量対応情報を最上位制御側貢献量対応情報受信部１２で受信したことにより処理が可能となったので、最上位制御側貢献量対応情報統合部１３は、上述と同様に中間電力制御システム３と電気製品４Ｃとから受信した各貢献量対応情報を上述と同様に統合する（Ｓ１４０）。
【０１４５】
このようにして統合された、新たな貢献量対応情報を図９（ｅ）に示す。
【０１４６】
又、最上位制御側貢献量対応情報統合部１３は、最上位制御側電力組合せ記憶部１４で電力の組合せを記憶する。
【０１４７】
最上位制御側決定送信部１５は、Ｓ１４０の最上位制御側貢献量対応情報統合部１３で作成された新たな貢献量対応情報に基づいて貢献量を比較し（Ｓ１５０）、下位の中間電力制御システム３又は電気製品４に電力を割り当てるかを決定する（Ｓ１６０）。
【０１４８】
ここで図９（ｅ）に示す貢献量対応情報の場合、貢献量（「２２」）が最も高い貢献量である。貢献量２２となる電力は１４００Ｗであり、電力が１４００Ｗとなる組合せを最上位制御側電力組合せ記憶部１４から抽出する。この組合せは中間電力制御システム３に８００Ｗと電気製品４Ｃに６００Ｗを割り当てる場合なので、そうすると、第５スロットに於いては、中間電力制御システム３に８００Ｗと電気製品４Ｃに６００Ｗを割り当てる決定をすることとなる。
【０１４９】
Ｓ１６０での決定後、最上位制御側決定送信部１５は、決定した結果（中間電力制御システム３に８００Ｗと電気製品４Ｃに６００Ｗを割り当てる）を下位の中間電力制御システム３、電気製品４Ｃに対して送信する（Ｓ１７０）。
【０１５０】
電気製品４Ｃの電気製品側決定受信部６は、Ｓ１７０で送信された結果を受信する。そして電気製品４Ｃは６００Ｗの電力を割り当てる決定なので、電気製品４Ｃは６００Ｗの電力を取得する（Ｓ１８０）。
【０１５１】
一方、Ｓ１７０で送信された結果を受信した中間電力制御システム３の中間制御側決定送受信部１１は、当該中間電力制御システム３に８００Ｗを割り当てることの決定なので、電力が８００Ｗになる組み合わせを中間制御側電力組合せ記憶部９から抽出する。
【０１５２】
そうすると電力が８００Ｗになる組合せは、電気製品４Ａに８００Ｗと電気製品４Ｂに０Ｗを割り当てる組合せとなるので、その結果を更に、下位の電気製品４Ａと電気製品４Ｂに送信する（Ｓ１７０）。そして電気製品４Ａと電気製品４Ｂの電気製品側決定受信部６は、中間電力制御システム３が送信した結果を受信する。そして電気製品４Ａは８００Ｗ、電気製品４Ｂが０Ｗの割当がある決定なので、電気製品４Ａは、中間電力制御システム３が設けられたコンセントから当該電力を取得する（Ｓ１８０）。
【０１５３】
このような処理プロセスを経ることによって、第５スロットについて電力の割当が決定される。次に第６スロットの電力の割当について、上述と同様に説明する。
【０１５４】
電気製品４Ａと電気製品４Ｃには、第５スロットで電力が割り当てられたので、各々の貢献量が次のようになる。即ち、電気製品４Ａは電力８００Ｗで残りのスロット数が９、要求スロット数が１４なので、
貢献量＝９÷１４×８００Ｗ×２≒１０．２９
となるので、電力８００Ｗの場合に貢献量は１０となる。
【０１５５】
同様に電気製品４Ｂは電力７００Ｗで残りのスロット数が５、要求スロット数が８なので、
貢献量＝５÷８×７００Ｗ×２＝８．７５
となるので、電力７００Ｗの場合に貢献量は９となる。
【０１５６】
電気製品４Ｃは、電力６００Ｗで残りのスロット数が６、要求スロット数が８なので、
貢献量＝６÷８×６００Ｗ×２＝９
となるので、電力６００Ｗの場合に貢献量は９となる。
【０１５７】
電気製品４Ａの貢献量対応情報を図１０（ａ）、電気製品４Ｂの貢献量対応情報を図１０（ｂ）、電気製品４Ｃの貢献量対応情報を図１０（ｃ）に示す。
【０１５８】
そうすると各電気製品４は電気製品側貢献量対応情報送信部５から、貢献量対応情報を中間電力制御システム３、最上位電力制御システム２に対して送信し、それらを中間制御側貢献量対応情報受信部７、最上位制御側貢献量対応情報受信部１２で受信する（Ｓ１００）。
【０１５９】
中間制御側貢献量対応情報統合部８は、上述と同様に、Ｓ１００で受信した電気製品４Ａ及び電気製品４Ｂの貢献量対応情報を統合し（Ｓ１２０）、新たな貢献量対応情報として図１０（ｄ）を作成する。
【０１６０】
又、中間制御側貢献量対応情報統合部８は、中間制御側電力組合せ記憶部９で電力の組合せを記憶する。
【０１６１】
そして作成した新たな貢献量対応情報（図１０（ｄ））を中間制御側貢献量対応情報送信部１０が最上位電力制御システム２に送信し（Ｓ１３０）、最上位制御側貢献量対応情報受信部１２で受信する（Ｓ１１０）。最上位電力制御システム２は、下位の貢献量対応情報を最上位制御側貢献量対応情報受信部１２で受信したことにより処理が可能となったので、最上位制御側貢献量対応情報統合部１３は、上述と同様に中間電力制御システム３と電気製品４Ｃとから受信した各貢献量対応情報を上述と同様に統合する（Ｓ１４０）。
【０１６２】
このようにして統合された、新たな貢献量対応情報を図１０（ｅ）に示す。
【０１６３】
又、最上位制御側貢献量対応情報統合部１３は、最上位制御側電力組合せ記憶部１４で電力の組合せを記憶する。
【０１６４】
最上位制御側決定送信部１５は、Ｓ１４０の最上位制御側貢献量対応情報統合部１３で作成された新たな貢献量対応情報に基づいて貢献量を比較し（Ｓ１５０）、下位の中間電力制御システム３又は電気製品４に電力を割り当てるかを決定する（Ｓ１６０）。
【０１６５】
ここで図１０（ｅ）に示す貢献量対応情報の場合、貢献量（「１９」）が最も高い貢献量である。貢献量１９となる電力は１５００Ｗと１４００Ｗであり、電力が大きい１５００Ｗが選択される。そし電力が１５００Ｗとなる組合せを最上位制御側電力組合せ記憶部１４から抽出する。この組合せは中間電力制御システム３に１５００Ｗと電気製品４Ｃに０Ｗを割り当てる場合なので、そうすると、第６スロットに於いては、中間電力制御システム３に１５００Ｗと電気製品４Ｃに０Ｗを割り当てる決定をすることとなる。
【０１６６】
Ｓ１６０での決定後、最上位制御側決定送信部１５は、決定した結果（中間電力制御システム３に１５００Ｗと電気製品４Ｃに０Ｗを割り当てる）を下位の中間電力制御システム３、電気製品４Ｃに対して送信する（Ｓ１７０）。
【０１６７】
電気製品４Ｃの電気製品側決定受信部６は、Ｓ１７０で送信された結果を受信する。そして電気製品４Ｃは０Ｗの電力を割り当てる決定なので、電気製品４Ｃは電力を取得しない。
【０１６８】
一方、Ｓ１７０で送信された結果を受信した中間電力制御システム３の中間制御側決定送受信部１１は、当該中間電力制御システム３に１５００Ｗを割り当てることの決定なので、電力が１５００Ｗになる組み合わせを中間制御側電力組合せ記憶部９から抽出する。
【０１６９】
そうすると電力が１５００Ｗになる組合せは、電気製品４Ａに８００Ｗと電気製品４Ｂに７００Ｗを割り当てる組合せとなるので、その結果を更に、下位の電気製品４Ａと電気製品４Ｂに送信する（Ｓ１７０）。そして電気製品４Ａと電気製品４Ｂの電気製品側決定受信部６は、中間電力制御システム３が送信した結果を受信する。そして電気製品４Ａは８００Ｗ、電気製品４Ｂが７００Ｗの割当がある決定なので、電気製品４Ａ及び電気製品４Ｂは、中間電力制御システム３が設けられたコンセントから当該電力を取得する（Ｓ１８０）。
【０１７０】
このような処理プロセスを経ることによって、第６スロットについて電力の割当が決定される。次に第７スロットの電力の割当について、上述と同様に説明する。
【０１７１】
電気製品４Ａと電気製品４Ｂには、第６スロットで電力が割り当てられたので、各々の貢献量が次のようになる。即ち、電気製品４Ａは電力８００Ｗで残りのスロット数が８、要求スロット数が１４なので、
貢献量＝８÷１４×８００Ｗ×２≒９．１４
となるので、電力８００Ｗの場合に貢献量は９となる。
【０１７２】
同様に電気製品４Ｂは電力７００Ｗで残りのスロット数が４、要求スロット数が８なので、
貢献量＝４÷８×７００Ｗ×２＝７
となるので、電力７００Ｗの場合に貢献量は７となる。
【０１７３】
電気製品４Ｃは、電力６００Ｗで残りのスロット数が６、要求スロット数が８なので、
貢献量＝６÷８×６００Ｗ×２＝９
となるので、電力６００Ｗの場合に貢献量は９となる。
【０１７４】
電気製品４Ａの貢献量対応情報を図１１（ａ）、電気製品４Ｂの貢献量対応情報を図１１（ｂ）、電気製品４Ｃの貢献量対応情報を図１１（ｃ）に示す。
【０１７５】
そうすると各電気製品４は電気製品側貢献量対応情報送信部５から、貢献量対応情報を中間電力制御システム３、最上位電力制御システム２に対して送信し、それらを中間制御側貢献量対応情報受信部７、最上位制御側貢献量対応情報受信部１２で受信する（Ｓ１００）。
【０１７６】
中間制御側貢献量対応情報統合部８は、上述と同様に、Ｓ１００で受信した電気製品４Ａ及び電気製品４Ｂの貢献量対応情報を統合し（Ｓ１２０）、新たな貢献量対応情報として図１１（ｄ）を作成する。
【０１７７】
又、中間制御側貢献量対応情報統合部８は、中間制御側電力組合せ記憶部９で電力の組合せを記憶する。
【０１７８】
そして作成した新たな貢献量対応情報（図１１（ｄ））を中間制御側貢献量対応情報送信部１０が最上位電力制御システム２に送信し（Ｓ１３０）、最上位制御側貢献量対応情報受信部１２で受信する（Ｓ１１０）。最上位電力制御システム２は、下位の貢献量対応情報を最上位制御側貢献量対応情報受信部１２で受信したことにより処理が可能となったので、最上位制御側貢献量対応情報統合部１３は、上述と同様に中間電力制御システム３と電気製品４Ｃとから受信した各貢献量対応情報を上述と同様に統合する（Ｓ１４０）。
【０１７９】
このようにして統合された、新たな貢献量対応情報を図１１（ｅ）に示す。
【０１８０】
又、最上位制御側貢献量対応情報統合部１３は、最上位制御側電力組合せ記憶部１４で電力の組合せを記憶する。
【０１８１】
最上位制御側決定送信部１５は、Ｓ１４０の最上位制御側貢献量対応情報統合部１３で作成された新たな貢献量対応情報に基づいて貢献量を比較し（Ｓ１５０）、下位の中間電力制御システム３又は電気製品４に電力を割り当てるかを決定する（Ｓ１６０）。
【０１８２】
ここで図１１（ｅ）に示す貢献量対応情報の場合、貢献量（「１８」）が最も高い貢献量である。貢献量１８となる電力は１４００Ｗであり、電力が１４００Ｗとなる組合せを最上位制御側電力組合せ記憶部１４から抽出する。この組合せは中間電力制御システム３に８００Ｗと電気製品４Ｃに６００Ｗを割り当てる場合なので、そうすると、第７スロットに於いては、中間電力制御システム３に８００Ｗと電気製品４Ｃに６００Ｗを割り当てる決定をすることとなる。
【０１８３】
Ｓ１６０での決定後、最上位制御側決定送信部１５は、決定した結果（中間電力制御システム３に８００Ｗと電気製品４Ｃに６００Ｗを割り当てる）を下位の中間電力制御システム３、電気製品４Ｃに対して送信する（Ｓ１７０）。
【０１８４】
電気製品４Ｃの電気製品側決定受信部６は、Ｓ１７０で送信された結果を受信する。そして電気製品４Ｃは６００Ｗの電力を割り当てる決定なので、電気製品４Ｃは６００Ｗの電力を取得する（Ｓ１８０）。
【０１８５】
一方、Ｓ１７０で送信された結果を受信した中間電力制御システム３の中間制御側決定送受信部１１は、当該中間電力制御システム３に８００Ｗを割り当てることの決定なので、電力が８００Ｗになる組み合わせを中間制御側電力組合せ記憶部９から抽出する。
【０１８６】
そうすると電力が８００Ｗになる組合せは、電気製品４Ａに８００Ｗと電気製品４Ｂに０Ｗを割り当てる組合せとなるので、その結果を更に、下位の電気製品４Ａと電気製品４Ｂに送信する（Ｓ１７０）。そして電気製品４Ａと電気製品４Ｂの電気製品側決定受信部６は、中間電力制御システム３が送信した結果を受信する。そして電気製品４Ａは８００Ｗ、電気製品４Ｂが０Ｗの割当がある決定なので、電気製品４Ａは、中間電力制御システム３が設けられたコンセントから当該電力を取得する（Ｓ１８０）。
【０１８７】
このような処理プロセスを経ることによって、第７スロットについて電力の割当が決定される。次に第８スロットの電力の割当について、上述と同様に説明する。
【０１８８】
電気製品４Ａと電気製品４Ｃには、第７スロットで電力が割り当てられたので、各々の貢献量が次のようになる。即ち、電気製品４Ａは電力８００Ｗで残りのスロット数が７、要求スロット数が１４なので、
貢献量＝７÷１４×８００Ｗ×２＝８
となるので、電力８００Ｗの場合に貢献量は８となる。
【０１８９】
同様に電気製品４Ｂは電力７００Ｗで残りのスロット数が４、要求スロット数が８なので、
貢献量＝４÷８×７００Ｗ×２＝７
となるので、電力７００Ｗの場合に貢献量は７となる。
【０１９０】
電気製品４Ｃは、電力６００Ｗで残りのスロット数が５、要求スロット数が８なので、
貢献量＝５÷８×６００Ｗ×２＝７．５
となるので、電力６００Ｗの場合に貢献量は８となる。
【０１９１】
電気製品４Ａの貢献量対応情報を図１２（ａ）、電気製品４Ｂの貢献量対応情報を図１２（ｂ）、電気製品４Ｃの貢献量対応情報を図１２（ｃ）に示す。
【０１９２】
そうすると各電気製品４は電気製品側貢献量対応情報送信部５から、貢献量対応情報を中間電力制御システム３、最上位電力制御システム２に対して送信し、それらを中間制御側貢献量対応情報受信部７、最上位制御側貢献量対応情報受信部１２で受信する（Ｓ１００）。
【０１９３】
中間制御側貢献量対応情報統合部８は、上述と同様に、Ｓ１００で受信した電気製品４Ａ及び電気製品４Ｂの貢献量対応情報を統合し（Ｓ１２０）、新たな貢献量対応情報として図１２（ｄ）を作成する。
【０１９４】
又、中間制御側貢献量対応情報統合部８は、中間制御側電力組合せ記憶部９で電力の組合せを記憶する。
【０１９５】
そして作成した新たな貢献量対応情報（図１２（ｄ））を中間制御側貢献量対応情報送信部１０が最上位電力制御システム２に送信し（Ｓ１３０）、最上位制御側貢献量対応情報受信部１２で受信する（Ｓ１１０）。最上位電力制御システム２は、下位の貢献量対応情報を最上位制御側貢献量対応情報受信部１２で受信したことにより処理が可能となったので、最上位制御側貢献量対応情報統合部１３は、上述と同様に中間電力制御システム３と電気製品４Ｃとから受信した各貢献量対応情報を上述と同様に統合する（Ｓ１４０）。
【０１９６】
このようにして統合された、新たな貢献量対応情報を図１２（ｅ）に示す。
【０１９７】
又、最上位制御側貢献量対応情報統合部１３は、最上位制御側電力組合せ記憶部１４で電力の組合せを記憶する。
【０１９８】
最上位制御側決定送信部１５は、Ｓ１４０の最上位制御側貢献量対応情報統合部１３で作成された新たな貢献量対応情報に基づいて貢献量を比較し（Ｓ１５０）、下位の中間電力制御システム３又は電気製品４に電力を割り当てるかを決定する（Ｓ１６０）。
【０１９９】
ここで図１２（ｅ）に示す貢献量対応情報の場合、貢献量（「１６」）が最も高い貢献量である。貢献量１６となる電力は１４００Ｗであり、電力が１４００Ｗとなる組合せを最上位制御側電力組合せ記憶部１４から抽出する。この組合せは中間電力制御システム３に８００Ｗと電気製品４Ｃに６００Ｗを割り当てる場合なので、そうすると、第８スロットに於いては、中間電力制御システム３に８００Ｗと電気製品４Ｃに６００Ｗを割り当てる決定をすることとなる。
【０２００】
Ｓ１６０での決定後、最上位制御側決定送信部１５は、決定した結果（中間電力制御システム３に８００Ｗと電気製品４Ｃに６００Ｗを割り当てる）を下位の中間電力制御システム３、電気製品４Ｃに対して送信する（Ｓ１７０）。
【０２０１】
電気製品４Ｃの電気製品側決定受信部６は、Ｓ１７０で送信された結果を受信する。そして電気製品４Ｃは６００Ｗの電力を割り当てる決定なので、電気製品４Ｃは６００Ｗの電力を取得する（Ｓ１８０）。
【０２０２】
一方、Ｓ１７０で送信された結果を受信した中間電力制御システム３の中間制御側決定送受信部１１は、当該中間電力制御システム３に８００Ｗを割り当てることの決定なので、電力が８００Ｗになる組み合わせを中間制御側電力組合せ記憶部９から抽出する。
【０２０３】
そうすると電力が８００Ｗになる組合せは、電気製品４Ａに８００Ｗと電気製品４Ｂに０Ｗを割り当てる組合せとなるので、その結果を更に、下位の電気製品４Ａと電気製品４Ｂに送信する（Ｓ１７０）。そして電気製品４Ａと電気製品４Ｂの電気製品側決定受信部６は、中間電力制御システム３が送信した結果を受信する。そして電気製品４Ａは８００Ｗ、電気製品４Ｂが０Ｗの割当がある決定なので、電気製品４Ａは、中間電力制御システム３が設けられたコンセントから当該電力を取得する（Ｓ１８０）。
【０２０４】
このような処理プロセスを経ることによって、第８スロットについて電力の割当が決定される。次に第９スロットの電力の割当について、上述と同様に説明する。
【０２０５】
電気製品４Ａと電気製品４Ｃには、第８スロットで電力が割り当てられたので、各々の貢献量が次のようになる。即ち、電気製品４Ａは電力８００Ｗで残りのスロット数が６、要求スロット数が１４なので、
貢献量＝６÷１４×８００Ｗ×２≒６．８６
となるので、電力８００Ｗの場合に貢献量は７となる。
【０２０６】
同様に電気製品４Ｂは電力７００Ｗで残りのスロット数が４、要求スロット数が８なので、
貢献量＝４÷８×７００Ｗ×２＝７
となるので、電力７００Ｗの場合に貢献量は７となる。
【０２０７】
電気製品４Ｃは、電力６００Ｗで残りのスロット数が４、要求スロット数が８なので、
貢献量＝４÷８×６００Ｗ×２＝６
となるので、電力６００Ｗの場合に貢献量は６となる。
【０２０８】
電気製品４Ａの貢献量対応情報を図１３（ａ）、電気製品４Ｂの貢献量対応情報を図１３（ｂ）、電気製品４Ｃの貢献量対応情報を図１３（ｃ）に示す。
【０２０９】
そうすると各電気製品４は電気製品側貢献量対応情報送信部５から、貢献量対応情報を中間電力制御システム３、最上位電力制御システム２に対して送信し、それらを中間制御側貢献量対応情報受信部７、最上位制御側貢献量対応情報受信部１２で受信する（Ｓ１００）。
【０２１０】
中間制御側貢献量対応情報統合部８は、上述と同様に、Ｓ１００で受信した電気製品４Ａ及び電気製品４Ｂの貢献量対応情報を統合し（Ｓ１２０）、新たな貢献量対応情報として図１３（ｄ）を作成する。
【０２１１】
又、中間制御側貢献量対応情報統合部８は、中間制御側電力組合せ記憶部９で電力の組合せを記憶する。
【０２１２】
そして作成した新たな貢献量対応情報（図１３（ｄ））を中間制御側貢献量対応情報送信部１０が最上位電力制御システム２に送信し（Ｓ１３０）、最上位制御側貢献量対応情報受信部１２で受信する（Ｓ１１０）。最上位電力制御システム２は、下位の貢献量対応情報を最上位制御側貢献量対応情報受信部１２で受信したことにより処理が可能となったので、最上位制御側貢献量対応情報統合部１３は、上述と同様に中間電力制御システム３と電気製品４Ｃとから受信した各貢献量対応情報を上述と同様に統合する（Ｓ１４０）。
【０２１３】
このようにして統合された、新たな貢献量対応情報を図１３（ｅ）に示す。
【０２１４】
又、最上位制御側貢献量対応情報統合部１３は、最上位制御側電力組合せ記憶部１４で電力の組合せを記憶する。
【０２１５】
最上位制御側決定送信部１５は、Ｓ１４０の最上位制御側貢献量対応情報統合部１３で作成された新たな貢献量対応情報に基づいて貢献量を比較し（Ｓ１５０）、下位の中間電力制御システム３又は電気製品４に電力を割り当てるかを決定する（Ｓ１６０）。
【０２１６】
ここで図１３（ｅ）に示す貢献量対応情報の場合、貢献量（「１４」）が最も高い貢献量である。貢献量１４となる電力は１５００Ｗであり、電力が１５００Ｗとなる組合せを最上位制御側電力組合せ記憶部１４から抽出する。この組合せは中間電力制御システム３に１５００Ｗと電気製品４Ｃに０Ｗを割り当てる場合なので、そうすると、第９スロットに於いては、中間電力制御システム３に１５００Ｗと電気製品４Ｃに０Ｗを割り当てる決定をすることとなる。
【０２１７】
Ｓ１６０での決定後、最上位制御側決定送信部１５は、決定した結果（中間電力制御システム３に１５００Ｗと電気製品４Ｃに０Ｗを割り当てる）を下位の中間電力制御システム３、電気製品４Ｃに対して送信する（Ｓ１７０）。
【０２１８】
電気製品４Ｃの電気製品側決定受信部６は、Ｓ１７０で送信された結果を受信する。そして電気製品４Ｃは０Ｗの電力を割り当てる決定なので、電気製品４Ｃは電力を取得しない。
【０２１９】
一方、Ｓ１７０で送信された結果を受信した中間電力制御システム３の中間制御側決定送受信部１１は、当該中間電力制御システム３に１５００Ｗを割り当てることの決定なので、電力が１５００Ｗになる組み合わせを中間制御側電力組合せ記憶部９から抽出する。
【０２２０】
そうすると電力が１５００Ｗになる組合せは、電気製品４Ａに８００Ｗと電気製品４Ｂに７００Ｗを割り当てる組合せとなるので、その結果を更に、下位の電気製品４Ａと電気製品４Ｂに送信する（Ｓ１７０）。そして電気製品４Ａと電気製品４Ｂの電気製品側決定受信部６は、中間電力制御システム３が送信した結果を受信する。そして電気製品４Ａは８００Ｗ、電気製品４Ｂが７００Ｗの割当がある決定なので、電気製品４Ａ及び電気製品４Ｂは、中間電力制御システム３が設けられたコンセントから当該電力を取得する（Ｓ１８０）。
【０２２１】
このような処理プロセスを経ることによって、第９スロットについて電力の割当が決定される。次に第１０スロットの電力の割当について、上述と同様に説明する。
【０２２２】
電気製品４Ａと電気製品４Ｂには、第９スロットで電力が割り当てられたので、各々の貢献量が次のようになる。即ち、電気製品４Ａは電力８００Ｗで残りのスロット数が５、要求スロット数が１４なので、
貢献量＝５÷１４×８００Ｗ×２≒５．７１
となるので、電力８００Ｗの場合に貢献量は６となる。
【０２２３】
同様に電気製品４Ｂは電力７００Ｗで残りのスロット数が３、要求スロット数が８なので、
貢献量＝３÷８×７００Ｗ×２＝５．２５
となるので、電力７００Ｗの場合に貢献量は５となる。
【０２２４】
電気製品４Ｃは、電力６００Ｗで残りのスロット数が４、要求スロット数が８なので、
貢献量＝４÷８×６００Ｗ×２＝６
となるので、電力６００Ｗの場合に貢献量は６となる。
【０２２５】
電気製品４Ａの貢献量対応情報を図１４（ａ）、電気製品４Ｂの貢献量対応情報を図１４（ｂ）、電気製品４Ｃの貢献量対応情報を図１４（ｃ）に示す。
【０２２６】
そうすると各電気製品４は電気製品側貢献量対応情報送信部５から、貢献量対応情報を中間電力制御システム３、最上位電力制御システム２に対して送信し、それらを中間制御側貢献量対応情報受信部７、最上位制御側貢献量対応情報受信部１２で受信する（Ｓ１００）。
【０２２７】
中間制御側貢献量対応情報統合部８は、上述と同様に、Ｓ１００で受信した電気製品４Ａ及び電気製品４Ｂの貢献量対応情報を統合し（Ｓ１２０）、新たな貢献量対応情報として図１４（ｄ）を作成する。
【０２２８】
又、中間制御側貢献量対応情報統合部８は、中間制御側電力組合せ記憶部９で電力の組合せを記憶する。
【０２２９】
そして作成した新たな貢献量対応情報（図１４（ｄ））を中間制御側貢献量対応情報送信部１０が最上位電力制御システム２に送信し（Ｓ１３０）、最上位制御側貢献量対応情報受信部１２で受信する（Ｓ１１０）。最上位電力制御システム２は、下位の貢献量対応情報を最上位制御側貢献量対応情報受信部１２で受信したことにより処理が可能となったので、最上位制御側貢献量対応情報統合部１３は、上述と同様に中間電力制御システム３と電気製品４Ｃとから受信した各貢献量対応情報を上述と同様に統合する（Ｓ１４０）。
【０２３０】
このようにして統合された、新たな貢献量対応情報を図１４（ｅ）に示す。
【０２３１】
又、最上位制御側貢献量対応情報統合部１３は、最上位制御側電力組合せ記憶部１４で電力の組合せを記憶する。
【０２３２】
最上位制御側決定送信部１５は、Ｓ１４０の最上位制御側貢献量対応情報統合部１３で作成された新たな貢献量対応情報に基づいて貢献量を比較し（Ｓ１５０）、下位の中間電力制御システム３又は電気製品４に電力を割り当てるかを決定する（Ｓ１６０）。
【０２３３】
ここで図１４（ｅ）に示す貢献量対応情報の場合、貢献量（「１２」）が最も高い貢献量である。貢献量１２となる電力は１４００Ｗであり、電力が１４００Ｗとなる組合せを最上位制御側電力組合せ記憶部１４から抽出する。この組合せは中間電力制御システム３に８００Ｗと電気製品４Ｃに６００Ｗを割り当てる場合なので、そうすると、第１０スロットに於いては、中間電力制御システム３に８００Ｗと電気製品４Ｃに６００Ｗを割り当てる決定をすることとなる。
【０２３４】
Ｓ１６０での決定後、最上位制御側決定送信部１５は、決定した結果（中間電力制御システム３に８００Ｗと電気製品４Ｃに６００Ｗを割り当てる）を下位の中間電力制御システム３、電気製品４Ｃに対して送信する（Ｓ１７０）。
【０２３５】
電気製品４Ｃの電気製品側決定受信部６は、Ｓ１７０で送信された結果を受信する。そして電気製品４Ｃは６００Ｗの電力を割り当てる決定なので、電気製品４Ｃは電力を６００Ｗの電力を取得する（Ｓ１８０）。
【０２３６】
一方、Ｓ１７０で送信された結果を受信した中間電力制御システム３の中間制御側決定送受信部１１は、当該中間電力制御システム３に８００Ｗを割り当てることの決定なので、電力が８００Ｗになる組み合わせを中間制御側電力組合せ記憶部９から抽出する。
【０２３７】
そうすると電力が８００Ｗになる組合せは、電気製品４Ａに８００Ｗと電気製品４Ｂに０Ｗを割り当てる組合せとなるので、その結果を更に、下位の電気製品４Ａと電気製品４Ｂに送信する（Ｓ１７０）。そして電気製品４Ａと電気製品４Ｂの電気製品側決定受信部６は、中間電力制御システム３が送信した結果を受信する。そして電気製品４Ａは８００Ｗ、電気製品４Ｂが０Ｗの割当がある決定なので、電気製品４Ａは、中間電力制御システム３が設けられたコンセントから当該電力を取得する（Ｓ１８０）。
【０２３８】
このような処理プロセスを経ることによって、第１０スロットについて電力の割当が決定される。次に第１１スロットの電力の割当について、上述と同様に説明する。
【０２３９】
電気製品４Ａと電気製品４Ｃには、第１０スロットで電力が割り当てられたので、各々の貢献量が次のようになる。即ち、電気製品４Ａは電力８００Ｗで残りのスロット数が４、要求スロット数が１４なので、
貢献量＝４÷１４×８００Ｗ×２≒４．５７
となるので、電力８００Ｗの場合に貢献量は５となる。
【０２４０】
同様に電気製品４Ｂは電力７００Ｗで残りのスロット数が３、要求スロット数が８なので、
貢献量＝３÷８×７００Ｗ×２＝５．２５
となるので、電力７００Ｗの場合に貢献量は５となる。
【０２４１】
電気製品４Ｃは、電力６００Ｗで残りのスロット数が３、要求スロット数が８なので、
貢献量＝３÷８×６００Ｗ×２＝４．５
となるので、電力６００Ｗの場合に貢献量は５となる。
【０２４２】
電気製品４Ａの貢献量対応情報を図１５（ａ）、電気製品４Ｂの貢献量対応情報を図１５（ｂ）、電気製品４Ｃの貢献量対応情報を図１５（ｃ）に示す。
【０２４３】
そうすると各電気製品４は電気製品側貢献量対応情報送信部５から、貢献量対応情報を中間電力制御システム３、最上位電力制御システム２に対して送信し、それらを中間制御側貢献量対応情報受信部７、最上位制御側貢献量対応情報受信部１２で受信する（Ｓ１００）。
【０２４４】
中間制御側貢献量対応情報統合部８は、上述と同様に、Ｓ１００で受信した電気製品４Ａ及び電気製品４Ｂの貢献量対応情報を統合し（Ｓ１２０）、新たな貢献量対応情報として図１５（ｄ）を作成する。
【０２４５】
又、中間制御側貢献量対応情報統合部８は、中間制御側電力組合せ記憶部９で電力の組合せを記憶する。
【０２４６】
そして作成した新たな貢献量対応情報（図１５（ｄ））を中間制御側貢献量対応情報送信部１０が最上位電力制御システム２に送信し（Ｓ１３０）、最上位制御側貢献量対応情報受信部１２で受信する（Ｓ１１０）。最上位電力制御システム２は、下位の貢献量対応情報を最上位制御側貢献量対応情報受信部１２で受信したことにより処理が可能となったので、最上位制御側貢献量対応情報統合部１３は、上述と同様に中間電力制御システム３と電気製品４Ｃとから受信した各貢献量対応情報を上述と同様に統合する（Ｓ１４０）。
【０２４７】
このようにして統合された、新たな貢献量対応情報を図１５（ｅ）に示す。
【０２４８】
又、最上位制御側貢献量対応情報統合部１３は、最上位制御側電力組合せ記憶部１４で電力の組合せを記憶する。
【０２４９】
最上位制御側決定送信部１５は、Ｓ１４０の最上位制御側貢献量対応情報統合部１３で作成された新たな貢献量対応情報に基づいて貢献量を比較し（Ｓ１５０）、下位の中間電力制御システム３又は電気製品４に電力を割り当てるかを決定する（Ｓ１６０）。
【０２５０】
ここで図１５（ｅ）に示す貢献量対応情報の場合、貢献量（「１０」）が最も高い貢献量である。貢献量１０となる電力は１５００Ｗ、１４００Ｗ、１３００Ｗであり、最も電力が大きい１５００Ｗが選択される。そして電力が１５００Ｗとなる組合せを最上位制御側電力組合せ記憶部１４から抽出する。この組合せは中間電力制御システム３に１５００Ｗと電気製品４Ｃに０Ｗを割り当てる場合なので、そうすると、第１１スロットに於いては、中間電力制御システム３に１５００Ｗと電気製品４Ｃに０Ｗを割り当てる決定をすることとなる。
【０２５１】
Ｓ１６０での決定後、最上位制御側決定送信部１５は、決定した結果（中間電力制御システム３に１５００Ｗと電気製品４Ｃに０Ｗを割り当てる）を下位の中間電力制御システム３、電気製品４Ｃに対して送信する（Ｓ１７０）。
【０２５２】
電気製品４Ｃの電気製品側決定受信部６は、Ｓ１７０で送信された結果を受信する。そして電気製品４Ｃは０Ｗの電力を割り当てる決定なので、電気製品４Ｃは電力を取得しない。
【０２５３】
一方、Ｓ１７０で送信された結果を受信した中間電力制御システム３の中間制御側決定送受信部１１は、当該中間電力制御システム３に１５００Ｗを割り当てることの決定なので、電力が１５００Ｗになる組み合わせを中間制御側電力組合せ記憶部９から抽出する。
【０２５４】
そうすると電力が１５００Ｗになる組合せは、電気製品４Ａに８００Ｗと電気製品４Ｂに７００Ｗを割り当てる組合せとなるので、その結果を更に、下位の電気製品４Ａと電気製品４Ｂに送信する（Ｓ１７０）。そして電気製品４Ａと電気製品４Ｂの電気製品側決定受信部６は、中間電力制御システム３が送信した結果を受信する。そして電気製品４Ａは８００Ｗ、電気製品４Ｂが７００Ｗの割当がある決定なので、電気製品４Ａ及び電気製品４Ｂは、中間電力制御システム３が設けられたコンセントから当該電力を取得する（Ｓ１８０）。
【０２５５】
このような処理プロセスを経ることによって、第１１スロットについて電力の割当が決定される。次に第１２スロットの電力の割当について、上述と同様に説明する。
【０２５６】
電気製品４Ａと電気製品４Ｂには、第１１スロットで電力が割り当てられたので、各々の貢献量が次のようになる。即ち、電気製品４Ａは電力８００Ｗで残りのスロット数が３、要求スロット数が１４なので、
貢献量＝３÷１４×８００Ｗ×２≒３．４３
となるので、電力８００Ｗの場合に貢献量は３となる。
【０２５７】
同様に電気製品４Ｂは電力７００Ｗで残りのスロット数が２、要求スロット数が８なので、
貢献量＝２÷８×７００Ｗ×２＝３．５
となるので、電力７００Ｗの場合に貢献量は４となる。
【０２５８】
電気製品４Ｃは、電力６００Ｗで残りのスロット数が３、要求スロット数が８なので、
貢献量＝３÷８×６００Ｗ×２＝４．５
となるので、電力６００Ｗの場合に貢献量は５となる。
【０２５９】
電気製品４Ａの貢献量対応情報を図１６（ａ）、電気製品４Ｂの貢献量対応情報を図１６（ｂ）、電気製品４Ｃの貢献量対応情報を図１６（ｃ）に示す。
【０２６０】
そうすると各電気製品４は電気製品側貢献量対応情報送信部５から、貢献量対応情報を中間電力制御システム３、最上位電力制御システム２に対して送信し、それらを中間制御側貢献量対応情報受信部７、最上位制御側貢献量対応情報受信部１２で受信する（Ｓ１００）。
【０２６１】
中間制御側貢献量対応情報統合部８は、上述と同様に、Ｓ１００で受信した電気製品４Ａ及び電気製品４Ｂの貢献量対応情報を統合し（Ｓ１２０）、新たな貢献量対応情報として図１６（ｄ）を作成する。
【０２６２】
又、中間制御側貢献量対応情報統合部８は、中間制御側電力組合せ記憶部９で電力の組合せを記憶する。
【０２６３】
そして作成した新たな貢献量対応情報（図１６（ｄ））を中間制御側貢献量対応情報送信部１０が最上位電力制御システム２に送信し（Ｓ１３０）、最上位制御側貢献量対応情報受信部１２で受信する（Ｓ１１０）。最上位電力制御システム２は、下位の貢献量対応情報を最上位制御側貢献量対応情報受信部１２で受信したことにより処理が可能となったので、最上位制御側貢献量対応情報統合部１３は、上述と同様に中間電力制御システム３と電気製品４Ｃとから受信した各貢献量対応情報を上述と同様に統合する（Ｓ１４０）。
【０２６４】
このようにして統合された、新たな貢献量対応情報を図１６（ｅ）に示す。
【０２６５】
又、最上位制御側貢献量対応情報統合部１３は、最上位制御側電力組合せ記憶部１４で電力の組合せを記憶する。
【０２６６】
最上位制御側決定送信部１５は、Ｓ１４０の最上位制御側貢献量対応情報統合部１３で作成された新たな貢献量対応情報に基づいて貢献量を比較し（Ｓ１５０）、下位の中間電力制御システム３又は電気製品４に電力を割り当てるかを決定する（Ｓ１６０）。
【０２６７】
ここで図１６（ｅ）に示す貢献量対応情報の場合、貢献量（「９」）が最も高い貢献量である。貢献量９となる電力は１３００Ｗであり、電力が１３００Ｗとなる組合せを最上位制御側電力組合せ記憶部１４から抽出する。この組合せは中間電力制御システム３に７００Ｗと電気製品４Ｃに６００Ｗを割り当てる場合なので、そうすると、第１２スロットに於いては、中間電力制御システム３に７００Ｗと電気製品４Ｃに６００Ｗを割り当てる決定をすることとなる。
【０２６８】
Ｓ１６０での決定後、最上位制御側決定送信部１５は、決定した結果（中間電力制御システム３に７００Ｗと電気製品４Ｃに６００Ｗを割り当てる）を下位の中間電力制御システム３、電気製品４Ｃに対して送信する（Ｓ１７０）。
【０２６９】
電気製品４Ｃの電気製品側決定受信部６は、Ｓ１７０で送信された結果を受信する。そして電気製品４Ｃは６００Ｗの電力を割り当てる決定なので、電気製品４Ｃは６００Ｗの電力を取得する（Ｓ１８０）。
【０２７０】
一方、Ｓ１７０で送信された結果を受信した中間電力制御システム３の中間制御側決定送受信部１１は、当該中間電力制御システム３に７００Ｗを割り当てることの決定なので、電力が７００Ｗになる組み合わせを中間制御側電力組合せ記憶部９から抽出する。
【０２７１】
そうすると電力が７００Ｗになる組合せは、電気製品４Ａに０Ｗと電気製品４Ｂに７００Ｗを割り当てる組合せとなるので、その結果を更に、下位の電気製品４Ａと電気製品４Ｂに送信する（Ｓ１７０）。そして電気製品４Ａと電気製品４Ｂの電気製品側決定受信部６は、中間電力制御システム３が送信した結果を受信する。そして電気製品４Ａは０Ｗ、電気製品４Ｂが７００Ｗの割当がある決定なので、電気製品４Ｂは、中間電力制御システム３が設けられたコンセントから当該電力を取得する（Ｓ１８０）。
【０２７２】
このような処理プロセスを経ることによって、第１２スロットについて電力の割当が決定される。次に第１３スロットの電力の割当について、上述と同様に説明する。
【０２７３】
電気製品４Ｂと電気製品４Ｃには、第１２スロットで電力が割り当てられたので、各々の貢献量が次のようになる。即ち、電気製品４Ａは電力８００Ｗで残りのスロット数が３、要求スロット数が１４なので、
貢献量＝３÷１４×８００Ｗ×２≒３．４３
となるので、電力８００Ｗの場合に貢献量は３となる。
【０２７４】
同様に電気製品４Ｂは電力７００Ｗで残りのスロット数が１、要求スロット数が８なので、
貢献量＝１÷８×７００Ｗ×２＝１．７５
となるので、電力７００Ｗの場合に貢献量は２となる。
【０２７５】
電気製品４Ｃは、電力６００Ｗで残りのスロット数が２、要求スロット数が８なので、
貢献量＝２÷８×６００Ｗ×２＝３
となるので、電力６００Ｗの場合に貢献量は３となる。
【０２７６】
電気製品４Ａの貢献量対応情報を図１７（ａ）、電気製品４Ｂの貢献量対応情報を図１７（ｂ）、電気製品４Ｃの貢献量対応情報を図１７（ｃ）に示す。
【０２７７】
そうすると各電気製品４は電気製品側貢献量対応情報送信部５から、貢献量対応情報を中間電力制御システム３、最上位電力制御システム２に対して送信し、それらを中間制御側貢献量対応情報受信部７、最上位制御側貢献量対応情報受信部１２で受信する（Ｓ１００）。
【０２７８】
中間制御側貢献量対応情報統合部８は、上述と同様に、Ｓ１００で受信した電気製品４Ａ及び電気製品４Ｂの貢献量対応情報を統合し（Ｓ１２０）、新たな貢献量対応情報として図１７（ｄ）を作成する。
【０２７９】
又、中間制御側貢献量対応情報統合部８は、中間制御側電力組合せ記憶部９で電力の組合せを記憶する。
【０２８０】
そして作成した新たな貢献量対応情報（図１７（ｄ））を中間制御側貢献量対応情報送信部１０が最上位電力制御システム２に送信し（Ｓ１３０）、最上位制御側貢献量対応情報受信部１２で受信する（Ｓ１１０）。最上位電力制御システム２は、下位の貢献量対応情報を最上位制御側貢献量対応情報受信部１２で受信したことにより処理が可能となったので、最上位制御側貢献量対応情報統合部１３は、上述と同様に中間電力制御システム３と電気製品４Ｃとから受信した各貢献量対応情報を上述と同様に統合する（Ｓ１４０）。
【０２８１】
このようにして統合された、新たな貢献量対応情報を図１７（ｅ）に示す。
【０２８２】
又、最上位制御側貢献量対応情報統合部１３は、最上位制御側電力組合せ記憶部１４で電力の組合せを記憶する。
【０２８３】
最上位制御側決定送信部１５は、Ｓ１４０の最上位制御側貢献量対応情報統合部１３で作成された新たな貢献量対応情報に基づいて貢献量を比較し（Ｓ１５０）、下位の中間電力制御システム３又は電気製品４に電力を割り当てるかを決定する（Ｓ１６０）。
【０２８４】
ここで図１７（ｅ）に示す貢献量対応情報の場合、貢献量（「６」）が最も高い貢献量である。貢献量６となる電力は１４００Ｗであり、電力が１４００Ｗとなる組合せを最上位制御側電力組合せ記憶部１４から抽出する。この組合せは中間電力制御システム３に８００Ｗと電気製品４Ｃに６００Ｗを割り当てる場合なので、そうすると、第１３スロットに於いては、中間電力制御システム３に８００Ｗと電気製品４Ｃに６００Ｗを割り当てる決定をすることとなる。
【０２８５】
Ｓ１６０での決定後、最上位制御側決定送信部１５は、決定した結果（中間電力制御システム３に８００Ｗと電気製品４Ｃに６００Ｗを割り当てる）を下位の中間電力制御システム３、電気製品４Ｃに対して送信する（Ｓ１７０）。
【０２８６】
電気製品４Ｃの電気製品側決定受信部６は、Ｓ１７０で送信された結果を受信する。そして電気製品４Ｃは６００Ｗの電力を割り当てる決定なので、電気製品４Ｃは６００Ｗの電力を取得する（Ｓ１８０）。
【０２８７】
一方、Ｓ１７０で送信された結果を受信した中間電力制御システム３の中間制御側決定送受信部１１は、当該中間電力制御システム３に８００Ｗを割り当てることの決定なので、電力が８００Ｗになる組み合わせを中間制御側電力組合せ記憶部９から抽出する。
【０２８８】
そうすると電力が８００Ｗになる組合せは、電気製品４Ａに８００Ｗと電気製品４Ｂに０Ｗを割り当てる組合せとなるので、その結果を更に、下位の電気製品４Ａと電気製品４Ｂに送信する（Ｓ１７０）。そして電気製品４Ａと電気製品４Ｂの電気製品側決定受信部６は、中間電力制御システム３が送信した結果を受信する。そして電気製品４Ａは８００Ｗ、電気製品４Ｂが０Ｗの割当がある決定なので、電気製品４Ａは、中間電力制御システム３が設けられたコンセントから当該電力を取得する（Ｓ１８０）。
【０２８９】
このような処理プロセスを経ることによって、第１３スロットについて電力の割当が決定される。次に第１４スロットの電力の割当について、上述と同様に説明する。
【０２９０】
電気製品４Ａと電気製品４Ｃには、第１３スロットで電力が割り当てられたので、各々の貢献量が次のようになる。即ち、電気製品４Ａは電力８００Ｗで残りのスロット数が２、要求スロット数が１４なので、
貢献量＝２÷１４×８００Ｗ×２≒２．２９
となるので、電力８００Ｗの場合に貢献量は２となる。
【０２９１】
同様に電気製品４Ｂは電力７００Ｗで残りのスロット数が１、要求スロット数が８なので、
貢献量＝１÷８×７００Ｗ×２＝１．７５
となるので、電力７００Ｗの場合に貢献量は２となる。
【０２９２】
電気製品４Ｃは、電力６００Ｗで残りのスロット数が１、要求スロット数が８なので、
貢献量＝２÷８×６００Ｗ×２＝１．５
となるので、電力６００Ｗの場合に貢献量は２となる。
【０２９３】
電気製品４Ａの貢献量対応情報を図１８（ａ）、電気製品４Ｂの貢献量対応情報を図１８（ｂ）、電気製品４Ｃの貢献量対応情報を図１８（ｃ）に示す。
【０２９４】
そうすると各電気製品４は電気製品側貢献量対応情報送信部５から、貢献量対応情報を中間電力制御システム３、最上位電力制御システム２に対して送信し、それらを中間制御側貢献量対応情報受信部７、最上位制御側貢献量対応情報受信部１２で受信する（Ｓ１００）。
【０２９５】
中間制御側貢献量対応情報統合部８は、上述と同様に、Ｓ１００で受信した電気製品４Ａ及び電気製品４Ｂの貢献量対応情報を統合し（Ｓ１２０）、新たな貢献量対応情報として図１８（ｄ）を作成する。
【０２９６】
又、中間制御側貢献量対応情報統合部８は、中間制御側電力組合せ記憶部９で電力の組合せを記憶する。
【０２９７】
そして作成した新たな貢献量対応情報（図１８（ｄ））を中間制御側貢献量対応情報送信部１０が最上位電力制御システム２に送信し（Ｓ１３０）、最上位制御側貢献量対応情報受信部１２で受信する（Ｓ１１０）。最上位電力制御システム２は、下位の貢献量対応情報を最上位制御側貢献量対応情報受信部１２で受信したことにより処理が可能となったので、最上位制御側貢献量対応情報統合部１３は、上述と同様に中間電力制御システム３と電気製品４Ｃとから受信した各貢献量対応情報を上述と同様に統合する（Ｓ１４０）。
【０２９８】
このようにして統合された、新たな貢献量対応情報を図１８（ｅ）に示す。
【０２９９】
又、最上位制御側貢献量対応情報統合部１３は、最上位制御側電力組合せ記憶部１４で電力の組合せを記憶する。
【０３００】
最上位制御側決定送信部１５は、Ｓ１４０の最上位制御側貢献量対応情報統合部１３で作成された新たな貢献量対応情報に基づいて貢献量を比較し（Ｓ１５０）、下位の中間電力制御システム３又は電気製品４に電力を割り当てるかを決定する（Ｓ１６０）。
【０３０１】
ここで図１８（ｅ）に示す貢献量対応情報の場合、貢献量（「４」）が最も高い貢献量である。貢献量４となる電力は１５００Ｗ、１４００Ｗ、１３００Ｗであり、最も大きい電力１５００Ｗが選択される。そして電力が１５００Ｗとなる組合せを最上位制御側電力組合せ記憶部１４から抽出する。この組合せは中間電力制御システム３に１５００Ｗと電気製品４Ｃに０Ｗを割り当てる場合なので、そうすると、第１４スロットに於いては、中間電力制御システム３に１５００Ｗと電気製品４Ｃに０Ｗを割り当てる決定をすることとなる。
【０３０２】
Ｓ１６０での決定後、最上位制御側決定送信部１５は、決定した結果（中間電力制御システム３に１５００Ｗと電気製品４Ｃに０Ｗを割り当てる）を下位の中間電力制御システム３、電気製品４Ｃに対して送信する（Ｓ１７０）。
【０３０３】
電気製品４Ｃの電気製品側決定受信部６は、Ｓ１７０で送信された結果を受信する。そして電気製品４Ｃは０Ｗの電力を割り当てる決定なので、電気製品４Ｃは電力を取得しない。
【０３０４】
一方、Ｓ１７０で送信された結果を受信した中間電力制御システム３の中間制御側決定送受信部１１は、当該中間電力制御システム３に１５００Ｗを割り当てることの決定なので、電力が１５００Ｗになる組み合わせを中間制御側電力組合せ記憶部９から抽出する。
【０３０５】
そうすると電力が１５００Ｗになる組合せは、電気製品４Ａに８００Ｗと電気製品４Ｂに７００Ｗを割り当てる組合せとなるので、その結果を更に、下位の電気製品４Ａと電気製品４Ｂに送信する（Ｓ１７０）。そして電気製品４Ａと電気製品４Ｂの電気製品側決定受信部６は、中間電力制御システム３が送信した結果を受信する。そして電気製品４Ａは８００Ｗ、電気製品４Ｂが７００Ｗの割当がある決定なので、電気製品４Ａ及び電気製品４Ｂは、中間電力制御システム３が設けられたコンセントから当該電力を取得する（Ｓ１８０）。
【０３０６】
このような処理プロセスを経ることによって、第１４スロットについて電力の割当が決定される。次に第１５スロットの電力の割当について、上述と同様に説明する。
【０３０７】
電気製品４Ａと電気製品４Ｂには、第１４スロットで電力が割り当てられたので、各々の貢献量が次のようになる。即ち、電気製品４Ａは電力８００Ｗで残りのスロット数が１、要求スロット数が１４なので、
貢献量＝１÷１４×８００Ｗ×２≒１．１４
となるので、電力８００Ｗの場合に貢献量は１となる。
【０３０８】
同様に電気製品４Ｂは電力７００Ｗで残りのスロット数が０、要求スロット数が８なので、
貢献量＝０÷８×７００Ｗ×２＝０
となるので、電力７００Ｗの場合に貢献量は０となる。
【０３０９】
電気製品４Ｃは、電力６００Ｗで残りのスロット数が１、要求スロット数が８なので、
貢献量＝２÷８×６００Ｗ×２＝１．５
となるので、電力６００Ｗの場合に貢献量は２となる。
【０３１０】
電気製品４Ａの貢献量対応情報を図１９（ａ）、電気製品４Ｂの貢献量対応情報を図１９（ｂ）、電気製品４Ｃの貢献量対応情報を図１９（ｃ）に示す。
【０３１１】
そうすると各電気製品４は電気製品側貢献量対応情報送信部５から、貢献量対応情報を中間電力制御システム３、最上位電力制御システム２に対して送信し、それらを中間制御側貢献量対応情報受信部７、最上位制御側貢献量対応情報受信部１２で受信する（Ｓ１００）。
【０３１２】
中間制御側貢献量対応情報統合部８は、上述と同様に、Ｓ１００で受信した電気製品４Ａ及び電気製品４Ｂの貢献量対応情報を統合し（Ｓ１２０）、新たな貢献量対応情報として図１９（ｄ）を作成する。
【０３１３】
又、中間制御側貢献量対応情報統合部８は、中間制御側電力組合せ記憶部９で電力の組合せを記憶する。
【０３１４】
そして作成した新たな貢献量対応情報（図１９（ｄ））を中間制御側貢献量対応情報送信部１０が最上位電力制御システム２に送信し（Ｓ１３０）、最上位制御側貢献量対応情報受信部１２で受信する（Ｓ１１０）。最上位電力制御システム２は、下位の貢献量対応情報を最上位制御側貢献量対応情報受信部１２で受信したことにより処理が可能となったので、最上位制御側貢献量対応情報統合部１３は、上述と同様に中間電力制御システム３と電気製品４Ｃとから受信した各貢献量対応情報を上述と同様に統合する（Ｓ１４０）。
【０３１５】
このようにして統合された、新たな貢献量対応情報を図１９（ｅ）に示す。
【０３１６】
又、最上位制御側貢献量対応情報統合部１３は、最上位制御側電力組合せ記憶部１４で電力の組合せを記憶する。
【０３１７】
最上位制御側決定送信部１５は、Ｓ１４０の最上位制御側貢献量対応情報統合部１３で作成された新たな貢献量対応情報に基づいて貢献量を比較し（Ｓ１５０）、下位の中間電力制御システム３又は電気製品４に電力を割り当てるかを決定する（Ｓ１６０）。
【０３１８】
ここで図１９（ｅ）に示す貢献量対応情報の場合、貢献量（「３」）が最も高い貢献量である。貢献量３となる電力は１４００Ｗであり、電力が１４００Ｗとなる組合せを最上位制御側電力組合せ記憶部１４から抽出する。この組合せは中間電力制御システム３に８００Ｗと電気製品４Ｃに６００Ｗを割り当てる場合なので、そうすると、第１５スロットに於いては、中間電力制御システム３に８００Ｗと電気製品４Ｃに６００Ｗを割り当てる決定をすることとなる。
【０３１９】
Ｓ１６０での決定後、最上位制御側決定送信部１５は、決定した結果（中間電力制御システム３に８００Ｗと電気製品４Ｃに６００Ｗを割り当てる）を下位の中間電力制御システム３、電気製品４Ｃに対して送信する（Ｓ１７０）。
【０３２０】
電気製品４Ｃの電気製品側決定受信部６は、Ｓ１７０で送信された結果を受信する。そして電気製品４Ｃは６００Ｗの電力を割り当てる決定なので、電気製品４Ｃは６００Ｗの電力を取得する（Ｓ１８０）。
【０３２１】
一方、Ｓ１７０で送信された結果を受信した中間電力制御システム３の中間制御側決定送受信部１１は、当該中間電力制御システム３に８００Ｗを割り当てることの決定なので、電力が８００Ｗになる組み合わせを中間制御側電力組合せ記憶部９から抽出する。
【０３２２】
そうすると電力が８００Ｗになる組合せは、電気製品４Ａに８００Ｗと電気製品４Ｂに０Ｗを割り当てる組合せとなるので、その結果を更に、下位の電気製品４Ａと電気製品４Ｂに送信する（Ｓ１７０）。そして電気製品４Ａと電気製品４Ｂの電気製品側決定受信部６は、中間電力制御システム３が送信した結果を受信する。そして電気製品４Ａは８００Ｗ、電気製品４Ｂが０Ｗの割当がある決定なので、電気製品４Ａは、中間電力制御システム３が設けられたコンセントから当該電力を取得する（Ｓ１８０）。
【０３２３】
このような処理プロセスを経ることによって、第１５スロットについて電力の割当が決定される。
【０３２４】
第１スロットから第１５スロットまでに電力を割り当てた電気製品４の一覧を図２０に示す。上述したように、電力を割り当てられたときに、電気製品４の優先順位（貢献度）を低くすることで、このように電力を満遍なく割り当てることが可能となる。
【０３２５】
以上のように、第１スロットから全スロット（本実施例では、上述のように全スロット数を１５スロットとしているので１５スロットまで）に対して、上述の処理プロセスを反復することで、各スロットに於いて電力を割り当てる電気製品４を決定し、それに基づいて電気製品４は電力を取得する。全スロットについて電気製品４を取得すると、また再度１スロットから同様に、最上位電力制御システム２に於いて、スロット毎に電力を割り当てる電気製品４を決定する。
【０３２６】
本発明のように、貢献量対応情報を各中間電力制御システム３及び最上位電力制御システム２で統合することによって、情報通信量を増加させることなく処理することが可能となる。又、電力の割当については、自らの直接下位の中間電力制御システム３又は電気製品４についてしか決定しないので、最上位電力制御システム２に於いて、系にどの電気製品４が存在するか、どの電気製品４にどれだけ電力を供給するかを把握することが出来ない。従って個々の電気製品４の電力割当についてのプライバシーを守ることが出来る。
【０３２７】
尚、本実施例では、最上位電力制御システム２と中間電力制御システム３と電気製品４とからなる系に於ける電力制御システム１の場合を説明したが、中間電力制御システム３を設けずに、最上位電力制御システム２と電気製品４とからなる系に於ける電力制御システム１としても良い。この場合、最上位電力制御システム２と電気製品４との間で直接データの送受信が行われることとなる。
【０３２８】
本発明に於ける各手段は、その機能が論理的に区別されているのみであって、物理上あるいは事実上は同一の領域を為していても良い。
【０３２９】
尚、本発明を実施するにあたり本実施態様の機能を実現するソフトウェアのプログラムを記録した記憶媒体をシステムに供給し、そのシステムのコンピュータが記憶媒体に格納されたプログラムを読み出し実行することによって実現されることは当然である。
【０３３０】
この場合、記憶媒体から読み出されたプログラム自体が前記した実施態様の機能を実現することとなり、そのプログラムを記憶した記憶媒体は本発明を当然のことながら構成することになる。
【０３３１】
プログラムを供給する為の記憶媒体としては、例えば磁気ディスク、ハードディスク、光ディスク、光磁気ディスク、磁気テープ、不揮発性のメモリカード等を使用することができる。又、このプログラムを所定のサーバからネットワークを介してダウンロード出来るようにしても良い。
【０３３２】
又、コンピュータが読み出したプログラムを実行することにより、上述した実施態様の機能が実現されるだけではなく、そのプログラムの指示に基づき、コンピュータ上で稼働しているオペレーティングシステムなどが実際の処理の一部又は全部を行い、その処理によって前記した実施態様の機能が実現される場合も含まれることは言うまでもない。
【０３３３】
更に、記憶媒体から読み出されたプログラムが、コンピュータに挿入された機能拡張ボードやコンピュータに接続された機能拡張ユニットに備わる不揮発性あるいは揮発性の記憶手段に書き込まれた後、そのプログラムの指示に基づき、機能拡張ボードあるいは機能拡張ユニットに備わる演算処理装置などが実際の処理の一部あるいは全部を行い、その処理により前記した実施態様の機能が実現される場合も含まれることは当然である。 
【産業上の利用可能性】
【０３３４】
本発明によって、最上位のサーバでの全体最適化を可能とすると共に、実質的にそのデータ量が増えないので、最上位のサーバでの処理負担を著しく増大させることもない電力制御システムが可能となる。
【０３３５】
更に電力割当については、自らの直接下位に存在する電気製品又は中間電力制御システムのみについてしか割当を把握しないこととなるので、例え最上位の電力制御システムであっても、全ての電気製品に対する電力の割当を把握することが出来ない。従ってプライバシーを守ることが可能な電力制御システム１となる。
【図面の簡単な説明】
【０３３６】
【図１】本発明の電力制御システムのシステム構成の一例を示すシステム構成図である。
【図２】本発明の電力制御システムの実施例の場合のシステム構成の一例を示すシステム構成図である。
【図３】本発明の電力制御システムの処理プロセスの流れの一例を示すフローチャートである。
【図４】電力の分散処理の概念を示す図である。
【図５】第１スロットの貢献量対応情報を示す図である。
【図６】第２スロットの貢献量対応情報を示す図である。
【図７】第３スロットの貢献量対応情報を示す図である。
【図８】第４スロットの貢献量対応情報を示す図である。
【図９】第５スロットの貢献量対応情報を示す図である。
【図１０】第６スロットの貢献量対応情報を示す図である。
【図１１】第７スロットの貢献量対応情報を示す図である。
【図１２】第８スロットの貢献量対応情報を示す図である。
【図１３】第９スロットの貢献量対応情報を示す図である。
【図１４】第１０スロットの貢献量対応情報を示す図である。
【図１５】第１１スロットの貢献量対応情報を示す図である。
【図１６】第１２スロットの貢献量対応情報を示す図である。
【図１７】第１３スロットの貢献量対応情報を示す図である。
【図１８】第１４スロットの貢献量対応情報を示す図である。
【図１９】第１５スロットの貢献量対応情報を示す図である。
【図２０】第１スロットから第１５スロットまでの電力が供給される電気製品の一覧を示す図である。
【符号の説明】
【０３３７】
１：電力制御システム
２：最上位電力制御システム
３：中間電力制御システム
４：電気製品
５：電気製品側貢献量対応情報送信部
６：電気製品側決定受信部
７：中間制御側貢献量対応情報受信部
８：中間制御側貢献量対応情報統合部
９：中間制御側電力組合せ記憶部
１０：中間制御側貢献量対応情報送信部
１１：中間制御側決定送受信部
１２：最上位制御側貢献量対応情報受信部
１３：最上位制御側貢献量対応情報統合部
１４：最上位制御側電力組合せ記憶部
１５：最上位制御側決定送信部
【図１】
2006050862.tif 000006
【図２】
2006050862.tif 000007
【図３】
2006050862.tif 000008
【図４】
2006050862.tif 000009
【図５】
2006050862.tif 000010
【図６】
2006050862.tif 000011
【図７】
2006050862.tif 000012
【図８】
2006050862.tif 000013
【図９】
2006050862.tif 000014
【図１０】
2006050862.tif 000015
【図１１】
2006050862.tif 000016
【図１２】
2006050862.tif 000017
【図１３】
2006050862.tif 000018
【図１４】
2006050862.tif 000019
【図１５】
2006050862.tif 000020
【図１６】
2006050862.tif 000021
【図１７】
2006050862.tif 000022
【図１８】
2006050862.tif 000023
【図１９】
2006050862.tif 000024
【図２０】
2006050862.tif 000025